(57)【特許請求の範囲】
【請求項１】
洗浄組成物であって、
前記組成物の１重量％〜７０重量％の界面活性剤と、
０．１％〜１０％の式（Ｉ）：
【化１】
0006262365.tif 000070
［式中、各Ａ１基は、飽和又は不飽和、直鎖又は分枝鎖アルキレン基及びシクロアルキレン基からなる群から独立して選択され、Ｒ１〜Ｒ４のそれぞれは、Ｈ、直鎖又は分枝鎖アルキル、及びシクロアルキルからなる群から独立して選択され、ｎは、１〜２００であり、
Ａ１基のうち少なくとも１つが、
【化２】
0006262365.tif 000071
である、洗浄組成物。
【請求項２】
洗浄組成物であって、
前記組成物の１重量％〜７０重量％の界面活性剤と、
０．１％〜１０％の式（Ｉ）：
【化３】
0006262365.tif 000072
［式中、各Ａ１基は、飽和又は不飽和、直鎖又は分枝鎖アルキレン基及びシクロアルキレン基からなる群から独立して選択され、Ｒ１〜Ｒ４のそれぞれは、Ｈ、直鎖又は分枝鎖アルキル、及びシクロアルキルからなる群から独立して選択され、ｎは、１〜２００であり、
Ａ１基のうち少なくとも１つが、
【化４】
0006262365.tif 000073
（式中、各Ａ２基は、飽和又は不飽和、直鎖又は分枝鎖アルキレン基及びシクロアルキレン基からなる群から独立して選択され、Ｒ１３〜Ｒ２２のそれぞれは、Ｈ、直鎖若しくは分枝鎖Ｃ１〜Ｃ１２アルキル、又は、シクロアルキルから独立して選択され、ｐは０〜１３である）であり、
Ａ１基のうち少なくとも１つが、
【化５】
0006262365.tif 000074
である、洗浄組成物。
【請求項３】
前記ポリエーテルアミンが、２９０〜９００グラム／モルの重量平均分子量を有する、請求項１または２に記載の洗浄組成物。
【請求項４】
０．００１重量％〜１重量％の酵素を更に含む、請求項１〜３のいずれか一項に記載の洗浄組成物。
【請求項５】
前記界面活性剤が、アニオン性界面活性剤、カチオン性界面活性剤、非イオン性界面活性剤、両性界面活性剤から選択される１つ又は２つ以上の界面活性剤を含む、請求項１〜４のいずれか一項に記載の洗浄組成物。
【請求項６】
０．１重量％〜１０重量％の追加のアミンを更に含む、請求項１〜５のいずれか一項に記載の洗浄組成物。
【請求項７】
汚れた布地を請求項１〜６のいずれか一項に記載の洗浄組成物と接触させることを含む、前記汚れた布地を前処理又は処理する方法。
【発明の詳細な説明】
【技術分野】
【０００１】
本発明はポリエーテルアミンを含有する洗浄組成物、より詳細には汚れた材料からのしみの除去に好適なポリエーテルアミンを含有する洗浄組成物に関する。
【背景技術】
【０００２】
合成繊維から作られるイージケアの布地の人気の増大並びに増加し続けるエネルギーコスト及び洗剤ユーザーのエコロジー面での懸念の高まりにより、一時は人気のあった温水及び熱水洗浄は、冷水（３０℃以下）での布地洗浄に優先順位を譲った。多数の市販の洗濯洗剤は、１５℃、更には９℃で布地の洗浄に好適であること宣伝されている。そのような低温で満足な洗浄結果、熱水洗浄で得られるものに匹敵する結果を得るためには、低温洗剤への要求は極めて高い。
【０００３】
在来の界面活性剤の洗浄力を増強して、３０℃以下の温度で油しみの除去を改善するために、ある添加物を洗剤組成物中に含めることは知られている。例えば、少なくとも１つの合成アニオン性及び／又は非イオン性界面活性剤に加えて脂肪族アミン化合物を含有する洗濯洗剤は既知である。また、洗濯洗剤において直鎖状アルキル変成（二級）アルコキシプロピルアミンを使用して、低温での洗浄を改善することは既知である。しかしながら、これらの既知の洗濯洗剤は、低温での満足な洗浄を達成することはできない。
【０００４】
更に、洗濯洗剤の芳香の安定化及びより永続性の香りの付与のための直鎖状の一級ポリオキシアルキレンアミン（例えば、Ｊｅｆｆａｍｉｎｅ（登録商標）Ｄ−２３０）の使用も既知である。また、液体洗剤のおける起泡の抑制のために高分子量（少なくとも約１０００の分子量）の分岐した、三官能性一級アミン（例えば、Ｊｅｆｆａｍｉｎｅ（登録商標）Ｔ−５０００ポリエーテルアミン）を使用することも既知である。加えて、モノエーテルジアミン（例えば、少なくとも１０重量％のエーテルアミン混合物）含有エーテルアミン混合物、その製造方法、及びポリマーの合成における硬化剤又は原材料としてのその使用が知られている。終りに、ジアミン又はポリアミンとアルキレンオキシド及びアミン末端ポリエーテルとエポキシド官能性化合物との反応から誘導される化合物との反応から誘導される化合物を使用して、起泡を抑制することが知られている。
【発明の概要】
【発明が解決しようとする課題】
【０００５】
洗濯洗剤の製造及び品質をどのような形であっても妨害せずに、低洗浄温度、例えば３０℃以下で洗浄性能を改善することができる、洗剤添加物を求める継続するニーズが存在する。より具体的には、微粒子洗浄に悪影響を及ぼさずに冷水油洗浄を改善できる、洗剤添加物を求めるニーズが存在する。驚くべきことには、本発明の洗浄組成物は、増強された油除去（特に、冷水中の）を提供することが判明した。
【課題を解決するための手段】
【０００６】
本発明は、組成物の約１重量％〜約７０重量％の界面活性剤と、約０．１重量％〜約１０重量％の式（Ｉ）：
【０００７】
【化１】
0006262365.tif 000002
［式中、各Ａ１基は、飽和又は不飽和、直鎖又は分枝鎖アルキレン基及びシクロアルキレン基からなる群から独立して選択され、Ｒ１〜Ｒ４のそれぞれは、Ｈ、直鎖又は分枝鎖アルキル、及びシクロアルキルからなる群から独立して選択され、ｎは、約１〜約２００であり、Ａ１基のうち少なくとも１つは、以下：
【０００８】
【化２】
0006262365.tif 000003
（式中、Ｒ５は、直鎖又は分枝鎖Ｃ１〜Ｃ１２アルキル又はシクロアルキルから選択される）、
【０００９】
【化３】
0006262365.tif 000004
（式中、Ｒ６〜Ｒ１１のそれぞれは、Ｈ、直鎖又は分枝鎖Ｃ１〜Ｃ１２アルキル、又はシクロアルキルから独立して選択され、ｍは約２〜約１３である）、
【００１０】
【化４】
0006262365.tif 000005
（式中、Ｒ１２は、直鎖又は分枝鎖Ｃ１〜Ｃ１２アルキル、又はシクロアルキルであり、ｍは約２〜約１３である）、
【００１１】
【化５】
0006262365.tif 000006
（式中、各Ａ２基は、飽和又は不飽和、直鎖又は分枝鎖アルキレン基及びシクロアルキレン基からなる群から独立して選択され、Ｒ１３〜Ｒ２２のそれぞれは、Ｈ、直鎖又は分枝鎖Ｃ１〜Ｃ１２アルキル、又はシクロアルキルから独立して選択され、ｐは、約０〜約１３である）から選択される］のポリエーテルアミンと、を含む、洗浄組成物（液体、粉末、１回用量、パウチ、又は錠剤の形態）を提供することにより、これらのニーズの１つ以上の解決を試みる。
【００１２】
本発明は、組成物の約１重量％〜約７０重量％の界面活性剤と、約０．１重量％〜約１０重量％の式（Ｉ）：
【００１３】
【化６】
0006262365.tif 000007
［式中、各Ａ１基は、飽和又は不飽和、直鎖又は分枝鎖アルキレン基及びシクロアルキレン基からなる群から独立して選択され、Ｒ１〜Ｒ４のそれぞれは、Ｈ、直鎖又は分枝鎖アルキル、及びシクロアルキルからなる群から独立して選択され、ｎは、約１〜約２００であり、Ａ１基のうち少なくとも１つは、以下：
【００１４】
【化７】
0006262365.tif 000008
（式中、ｍは約２〜約１３である）、
から選択され、Ａ１基のうち少なくとも１つは、以下：
【００１５】
【化８】
0006262365.tif 000009
（式中、Ｒ５は、直鎖又は分枝鎖Ｃ１〜Ｃ１２アルキル又はシクロアルキルから選択される）、
【００１６】
【化９】
0006262365.tif 000010
（式中、Ｒ６〜Ｒ１１のそれぞれは、Ｈ、直鎖又は分枝鎖Ｃ１〜Ｃ１２アルキル、又はシクロアルキルから独立して選択され、ｍは約２〜約１３である）、
【００１７】
【化１０】
0006262365.tif 000011
（式中、Ｒ１２は、直鎖又は分枝鎖Ｃ１〜Ｃ１２アルキル、又はシクロアルキルであり、ｍは約２〜約１３である）、
【００１８】
【化１１】
0006262365.tif 000012
（式中、各Ａ２基は、飽和又は不飽和、直鎖又は分枝鎖アルキレン基及びシクロアルキレン基からなる群から独立して選択され、Ｒ１３〜Ｒ２２のそれぞれは、Ｈ、直鎖又は分枝鎖Ｃ１〜Ｃ１２アルキル、又はシクロアルキルから独立して選択され、ｐは、約０〜約１３である）から選択される］のポリエーテルアミンと、を含む、洗浄組成物（液体、粉末、１回用量、パウチ、又は錠剤の形態）にも関する。
【００１９】
本発明は更に、組成物の約１重量％〜約７０重量％の界面活性剤と、約０．１重量％〜約１０重量％の以下のうち１つ以上から選択されるポリエーテルアミンと、を含む、洗浄組成物（液体、粉末、１回用量、パウチ、又は錠剤の形態）に関する。
【００２０】
【化１２】
0006262365.tif 000013
【００２１】
本発明は、更に、汚れた材料の洗浄方法を含む。そのような方法は、汚れた材料を本発明の洗浄組成物と接触させることを含む、汚れた材料の前処理を含む。
【００２２】
洗浄組成物は、１つ以上の補助洗浄添加剤を更に含んでよい。
【発明を実施するための形態】
【００２３】
本発明の種々の実施形態の特性及び利点は、本発明の幅広い表現を与えるよう意図される特定の実施形態の例を含む以下の記述から明らかになる。様々な改変がこの説明及び本発明の実施から当業者には明白であろう。この範囲は開示された特定の形に限定されるようには意図されず、及び本発明は、クレームにより定義されるような本発明の精神及び範囲内に入る全ての改変、同等物、及び代替物を網羅する。
【００２４】
本明細書において使用するとき、「ｔｈｅ」、「ａ」及び「ａｎ」などの冠詞は、特許請求の範囲又は明細書において使用される場合、特許請求又は記載されているものの１つ以上のものを意味するように理解される。
【００２５】
本明細書で使用するとき、用語「含む（include）」、「含む（includes）」及び「含んでいる（including）」は、非限定であるように意図される。
【００２６】
用語「実質的に含まない」は、本明細書で使用されるとき成分又は不純物としてのその最少量又は別な成分の意図されない副生物が完全に無いことを指す。ある成分を「実質的に含まない」組成物は、その組成物が、組成物の約０．５重量％、０．２５重量％、０．１重量％、０．０５重量％、又は０．０１重量％、又は更に０重量％未満の成分を含むということを意味する。
【００２７】
本明細書で使用するとき、用語「汚れた材料」は、非特定的に使用され、限定ではないが木綿、亜麻布、ウール、ポリエステル、ナイロン、絹、アクリル及びこれらに類するものなどの天然、人工及び合成繊維を包含する天然又は人工繊維の網状構造、並びに様々なブレンド及び組み合わせからなる任意のタイプの可撓性材料を指してもよい。汚れた材料は、限定ではないがタイル、花崗岩、しっくい、ガラス、複合物、ビニル、堅木、金属、調理用表面、プラスチック、及びこれらに類するものなどの天然、人工及び合成表面を含む任意のタイプの硬質表面、並びに様々なブレンド及び組み合わせを更に指してもよい。
【００２８】
本明細書の全体を通じて与えられる全ての最大の数値限界は、全てのより小さい数値限界を、恰もかかるより小さい数値限界が本明細書に明確に記載されているものと同様にして含むことは理解すべきである。本明細書の全体を通じて与えられる全ての最小数値限定は、より大きい全ての数値限定を、あたかもそのようなより大きい数値限定が本明細書に明示的に記載されているかのように包含する。本明細書全体を通して与えられる全ての数値範囲は、そのようなより広い数値範囲内に入るより狭い全ての数値範囲を、そのような狭い数値範囲が全て本明細書に明示的に記載されているかのように包含する。
【００２９】
引用される特許文献及び他の文献は全て、関連部分において、あたかもそれが本明細書に完全に言い換えられているかのように参照により組み込まれる。いかなる特許文献又は他の文献の引用も、引用される特許文献及び他の文献が本発明に対する先行技術であると認めるものではない。
【００３０】
本説明では、全ての濃度及び比率は、別途記載のない限り、洗浄剤組成物の重量に基づくものである。
【００３１】
洗浄組成物
本明細書で使用するとき、語句「洗浄組成物」は、汚れた布地を洗浄するよう設計された組成物及び配合物を含む。そのような組成物は、洗濯洗浄組成物及び洗剤、布地柔軟化組成物、布地強化組成物、布地消臭組成物、予洗い用洗剤（laundry prewash）、洗濯前処理剤、洗濯添加剤、スプレー製品、ドライクリーニング剤又は組成物、洗濯すすぎ添加剤、洗浄添加剤、すすぎ後布地トリートメント、アイロン助剤、食器洗い組成物、硬質面洗浄組成物、単位分量配合剤、遅延送達配合剤、多孔性基材又は不織布の上又は中に含有される洗剤、及び本明細書の教示を考慮すると当業者には明白な他の好適な形態を含むが、これらに限定されない。そのような組成物は、洗濯前処理、洗濯後処理として、使用してもよく、あるいは、洗濯作業のすすぎ又は洗浄サイクル中に添加されてもよい。この洗浄組成物は、液体、粉末、単相又は多相の一回量包装、パウチ、錠剤、ゲル、ペースト、バー、又はフレークから選択される形状を有してもよい。
【００３２】
ポリエーテルアミン
本明細書で記述される洗剤組成物は、洗浄組成物の量で約０．１重量％〜約１０重量％、一部の例では、約０．２重量％〜約５重量％、又は約０．５重量％〜約３重量％の更なるポリエーテルアミンを含んでもよい。
【００３３】
ポリエーテルアミンは、式（Ｉ）：
【００３４】
【化１３】
0006262365.tif 000014
［式中、各Ａ１基は、飽和又は不飽和、直鎖又は分枝鎖アルキレン基及びシクロアルキレン基からなる群から独立して選択され、Ｒ１〜Ｒ４のそれぞれは、Ｈ、直鎖又は分枝鎖アルキル、及びシクロアルキルからなる群から独立して選択され、ｎは、約１〜約２００であり、Ａ１基のうち少なくとも１つは、以下：
【００３５】
【化１４】
0006262365.tif 000015
（式中、Ｒ５は、直鎖又は分枝鎖Ｃ１〜Ｃ１２アルキル又はシクロアルキルから選択される）、
【００３６】
【化１５】
0006262365.tif 000016
（式中、Ｒ６〜Ｒ１１のそれぞれは、Ｈ、直鎖又は分枝鎖Ｃ１〜Ｃ１２アルキル、又はシクロアルキルから独立して選択され、ｍは約２〜約１３である）、
【００３７】
【化１６】
0006262365.tif 000017
（式中、Ｒ１２は、直鎖又は分枝鎖Ｃ１〜Ｃ１２アルキル、又はシクロアルキルであり、ｍは約２〜約１３である）、
【００３８】
【化１７】
0006262365.tif 000018
（式中、各Ａ２基は、飽和若しくは不飽和、直鎖若しくは分枝鎖アルキレン基及びシクロアルキレン基からなる群から独立して選択され、又は、各Ａ２基は、約２〜約１０個の炭素原子、若しくは約２〜約４個の炭素原子を有する直鎖若しくは分枝鎖アルキレン基から独立して選択され、又は、各Ａ２基は、直鎖若しくは分枝鎖ブチレン、直鎖若しくは分枝鎖プロピレン、又は直鎖若しくは分枝鎖エチレンから独立して選択され、Ｒ１３〜Ｒ２２は、Ｈ、直鎖又は分枝鎖Ｃ１〜Ｃ１２アルキル、又はシクロアルキルから独立して選択され、ｐは、約０〜約１３である）から選択される］の構造で表され得る。式（Ｉ）中のＡ１基は同じであってよい。任意に、式（Ｉ）は、以下から選択される少なくとも１つＡ１基を更に含んでよい。
【００３９】
【化１８】
0006262365.tif 000019
（式中、ｑは０又は１である）、又は
【００４０】
【化１９】
0006262365.tif 000020
【００４１】
任意に、式（Ｉ）において、Ａ１基のうち少なくとも１つが式ＩＩ〜ＶＩから選択される場合、残りのＡ１基は、以下から選択される。
【００４２】
【化２０】
0006262365.tif 000021
（式中、Ｒ５は、直鎖又は分枝鎖Ｃ１〜Ｃ１２アルキル又はシクロアルキルから選択される）
【００４３】
【化２１】
0006262365.tif 000022
（式中、Ｒ６〜Ｒ１１のそれぞれは、Ｈ、直鎖又は分枝鎖Ｃ１〜Ｃ１２アルキル、又はシクロアルキルから独立して選択され、ｍは約２〜約１３である）
【００４４】
【化２２】
0006262365.tif 000023
（式中、Ｒ１２は、直鎖又は分枝鎖Ｃ１〜Ｃ１２アルキル、又はシクロアルキルであり、ｍは約２〜約１３である）
【００４５】
【化２３】
0006262365.tif 000024
（式中、各Ａ２基は、飽和若しくは不飽和、直鎖若しくは分枝鎖アルキレン基及びシクロアルキレン基からなる群から独立して選択され、又は、各Ａ２基は、約２〜約１０個の炭素原子、若しくは約２〜約４個の炭素原子を有する直鎖若しくは分枝鎖アルキレン基から独立して選択され、又は、各Ａ２基は、直鎖若しくは分枝鎖ブチレン、直鎖若しくは分枝鎖プロピレン、又は直鎖若しくは分枝鎖エチレンから独立して選択され、Ｒ１３〜Ｒ２２のそれぞれは、Ｈ、直鎖又は分枝鎖Ｃ１〜Ｃ１２アルキル、又はシクロアルキルから独立して選択され、ｐは、約０〜約１３である）
【００４６】
【化２４】
0006262365.tif 000025
（式中、ｑは０又は１である）、又は
【００４７】
【化２５】
0006262365.tif 000026
【００４８】
式（Ｉ）中のＡ１基のうち少なくとも１つは、以下から選択されてよい。
【００４９】
【化２６】
0006262365.tif 000027
（式中、Ｒ５は、直鎖又は分枝鎖Ｃ１〜Ｃ１２アルキル又はシクロアルキルから選択される）、
【００５０】
【化２７】
0006262365.tif 000028
（式中、Ｒ６〜Ｒ１１のそれぞれは、Ｈ、直鎖又は分枝鎖Ｃ１〜Ｃ１２アルキル、又はシクロアルキルから独立して選択され、ｍは約２〜約１３である）、
【００５１】
【化２８】
0006262365.tif 000029
（式中、Ｒ１２は、直鎖又は分枝鎖Ｃ１〜Ｃ１２アルキル、又はシクロアルキルから選択され、ｍは約２〜約１３である）。
【００５２】
式（Ｉ）中のＡ１基のうち少なくとも１つは、以下から選択されてよい。
【００５３】
【化２９】
0006262365.tif 000030
【００５４】
式（Ｉ）中のＡ１基のうち少なくとも１つは、以下から選択されてよく、
【００５５】
【化３０】
0006262365.tif 000031
（式中、各Ａ２基は、飽和若しくは不飽和、直鎖若しくは分枝鎖アルキレン基及びシクロアルキレン基からなる群から独立して選択され、又は、各Ａ２基は、約２〜約１０個の炭素原子、若しくは約２〜約４個の炭素原子を有する直鎖若しくは分枝鎖アルキレン基から独立して選択され、又は、各Ａ２基は、直鎖若しくは分枝鎖ブチレン、直鎖若しくは分枝鎖プロピレン、又は直鎖若しくは分枝鎖エチレンから独立して選択され、Ｒ１３〜Ｒ２２のそれぞれは、Ｈ、直鎖又は分枝鎖Ｃ１〜Ｃ１２アルキル、又はシクロアルキルから独立して選択され、ｐは、約０〜約１３である）式（Ｉ）中のＡ１基のうち少なくとも１つは以下のものである。
【００５６】
【化３１】
0006262365.tif 000032
【００５７】
ポリエーテルアミンは、式（Ｉ）の構造で表され得、
【００５８】
【化３２】
0006262365.tif 000033
式中、各Ａ１基は、飽和又は不飽和、直鎖又は分枝鎖アルキレン基及びシクロアルキレン基からなる群から独立して選択され、Ｒ１〜Ｒ４のそれぞれは、Ｈ、直鎖又は分枝鎖アルキル、及びシクロアルキルからなる群から独立して選択され、ｎは、約１〜約２００であり、Ａ１基のうち少なくとも１つは、以下から選択され、
【００５９】
【化３３】
0006262365.tif 000034
（式中、ｍは約２〜約１３である）
Ａ１基のうち少なくとも１つは、以下から選択される。
【００６０】
【化３４】
0006262365.tif 000035
（式中、Ｒ５は、直鎖又は分枝鎖Ｃ１〜Ｃ１２アルキル又はシクロアルキルから選択される）
【００６１】
【化３５】
0006262365.tif 000036
（式中、Ｒ６〜Ｒ１１のそれぞれは、Ｈ、直鎖又は分枝鎖Ｃ１〜Ｃ１２アルキル、又はシクロアルキルから独立して選択され、ｍは約２〜約１３である）
【００６２】
【化３６】
0006262365.tif 000037
（式中、Ｒ１２は、直鎖又は分枝鎖Ｃ１〜Ｃ１２アルキル、又はシクロアルキルから選択され、ｍは約２〜約１３である）又は
【００６３】
【化３７】
0006262365.tif 000038
（式中、各Ａ２基は、飽和若しくは不飽和、直鎖若しくは分枝鎖アルキレン基及びシクロアルキレン基からなる群から独立して選択され、又は、各Ａ２基は、約２〜約１０個の炭素原子、若しくは約２〜約４個の炭素原子を有する直鎖若しくは分枝鎖アルキレン基から独立して選択され、又は、各Ａ２基は、直鎖若しくは分枝鎖ブチレン、直鎖若しくは分枝鎖プロピレン、又は直鎖若しくは分枝鎖エチレンから独立して選択され、Ｒ１３〜Ｒ２２のそれぞれは、Ｈ、直鎖又は分枝鎖Ｃ１〜Ｃ１２アルキル、又はシクロアルキルから独立して選択され、ｐは、約０〜約１３である）。
【００６４】
式（Ｉ）中のＡ１基のうち少なくとも１つは、以下から選択されてよく、
【００６５】
【化３８】
0006262365.tif 000039
【００６６】
（式中、ｍは約２〜約１３である）
Ａ１基のうち少なくとも１つは、以下から選択されてよい。
【００６７】
【化３９】
0006262365.tif 000040
【００６８】
式（Ｉ）中、Ｒ１〜Ｒ４のそれぞれは、Ｈであってよい。Ｒ１〜Ｒ４のそれぞれは、Ｃ１〜Ｃ１６アルキル又はアリールから独立して選択されてよい。Ｒ１〜Ｒ４のそれぞれは、Ｈ、ブチル、エチル、メチル、プロピル、又はフェニルから独立して選択されてよい。Ｒ１〜Ｒ４のうち少なくとも１つは、メチル基であってよい。
【００６９】
式（Ｉ）中のｎは、約１〜約２０、又は約２〜約１０、又は約２〜約５、又は約３〜約５、又は約３、又は約４であってよい。
【００７０】
式（Ｉ）のＡ１基は、同じであっても異なっていてもよく、得られるポリマーは、ブロック様構造又はランダム構造を有してよい。本明細書で使用するとき、くねくねした線
【００７１】
【数１】
0006262365.tif 000041
は、式ＩＩ〜ＩＸが式（Ｉ）に連結する場所を示す。
【００７２】
本開示のポリエーテルアミンは、式Ａ、式Ｂ、式Ｃ、式Ｄ、又はこれらの混合物から選択されてよい。
【００７３】
【化４０】
0006262365.tif 000042
【００７４】
式（Ｉ）のポリエーテルアミンは、約２９０〜約９００グラム／モル、又は約３００〜約７００グラム／モル、又は約３００〜約４５０グラム／モルの重量平均分子量を有してよい。ポリマーの分子量は、重合反応は重量平均分子量により要約される分子量の分布を生じる点で、典型的な分子と異なる。本発明のポリエーテルアミンポリマーは、したがってある範囲の分子量にわたって分布する。分子量の差は、主として合成時に一緒にシ−ケンス化するモノマー単位の数の差に帰せられる。本発明のポリエーテルアミンポリマーについて、モノマー単位は式（ＩＩ）〜（ＩＸ）で表される。得られるポリエーテルアミンポリマーは、モノマー単位の順序によって特徴付けられる。ポリエーテルアミンポリマーは、モノマーの順序の分布、したがって分子量の分布を含む。未反応アルキレンオキシドモノマーなどの未反応モノマーも、得られるポリエーテルアミン中に存在してもよい。
【００７５】
ポリエーテルアミンは、様々な種類の式（Ｉ）（その種類には、式（ＩＩ）〜（ＩＸ）で表されるモノマー単位の様々な組み合わせを含む）の混合物を含んでよい。
【００７６】
ポリエーテルアミンは、式（Ｉ）のポリエーテルアミンがポリエーテルアミン混合物の少なくとも９０重量％を構成する、ポリエーテルアミン混合物を含んでよい。ポリエーテルアミンは、式（Ｉ）のポリエーテルアミンがポリエーテルアミン混合物の少なくとも９５重量％を構成する、ポリエーテルアミン混合物を含んでよい。
【合成実施例】
【００７７】
（実施例１）
１モルの１，４ブタンジオール＋４モルのプロピレンオキシド、アミノ化
ａ）１モルの１，４ブタンジオール＋４モルのプロピレンオキシド
２Ｌのオートクレーブ中で、１８０．４ｇの１，４−ブタンジオール及び１．３ｇのカリウムｔｅｒｔブトキシドを混合し、真空下（＜１ｋＰａ（＜１０ミリバール））、１２０℃で０．５時間撹拌した。オートクレーブに窒素をパージし、１４０℃に加熱した。５時間以内に、４６４．０ｇのプロピレンオキシドを部分に分けて加えた。反応を完了させるため、この混合物を１４０℃で更に８時間反応させた。反応混合物を窒素でストリッピングし、減圧下８０℃で揮発性化合物を除去した。１０．０ｇの合成ケイ酸マグネシウム（Ｍａｃｒｏｓｏｒｂ  ＭＰ５ｐｌｕｓ、Ｉｎｅｏｓ  Ｓｉｌｉｃａｓ  Ｌｔｄ．）を加え、１００℃で２時間撹拌し、減圧下で２時間脱水することによって、触媒を除去した。濾過後、６４４．０ｇの帯明黄色油が得られた（ヒドロキシ価：３２１．３ｍｇＫＯＨ／ｇ）。
【００７８】
ｂ）１モルの１，４ブタンジオール＋４モルのプロピレンオキシド、アミノ化
９Ｌのオートクレーブにおいて、２００ｍＬの固体触媒の存在下で、５００ｍＬの実施例１−ａから得られたジオール混合物、１２００ｍＬのＴＨＦ、及び１５００ｇのアンモニアを混合した。ニッケル、銅、及びモリブデンの酸化物、並びにジルコニウムの二酸化物を含有する触媒を、３×３ｍｍの錠剤の形態にした。オートクレーブに水素をパージし、１ＭＰａ（１０バール）に加圧した後、混合物を２０５℃に加熱した。圧力を２８ＭＰａ（２８０バール）に上げ、反応混合物を２０５℃で１５時間撹拌し、全圧を２８ＭＰａ（２８０バール）に維持した。１５時間後、オートクレーブを周囲温度まで冷却し、生成物を回収し、濾過し、ロータリーエバポレーターでストリッピングして、軽質アミン及び水を除去した。合計３００グラムの淡色ポリエーテルアミン混合物が単離された。その分析結果を表１に示す。
【００７９】
【表１】
0006262365.tif 000043
【００８０】
（実施例２）
１モルの１，６−ヘキサンジオール＋４モルのプロピレンオキシド、アミノ化
ａ）１モルの１，６−ヘキサンジオール＋４モルのプロピレンオキシド
２Ｌのオートクレーブ中で、２３６．４ｇの１，６−ヘキサンジオール及び１．４ｇのカリウムｔｅｒｔブトキシドを混合し、オートクレーブに窒素を３回パージし、１４０℃に加熱した。５時間以内に、４６４．０ｇのプロピレンオキシドを部分に分けて加えた。反応を完了させるため、この混合物を１４０℃で更に８時間反応させた。反応混合物を窒素でストリッピングし、減圧下８０℃で揮発性化合物を除去した。１１．０ｇの合成ケイ酸マグネシウム（Ｍａｃｒｏｓｏｒｂ  ＭＰ５ｐｌｕｓ、Ｉｎｅｏｓ  Ｓｉｌｉｃａｓ  Ｌｔｄ．）を加え、１００℃で２時間撹拌し、減圧下で２時間脱水することによって、触媒を除去した。濾過後、６９９．０ｇの帯明黄色油が得られた（ヒドロキシ価：２９３．０ｍｇＫＯＨ／ｇ）。
【００８１】
ｂ）１モルの１，６−ヘキサンジオール＋４モルのプロピレンオキシド、アミノ化
９Ｌのオートクレーブにおいて、２００ｍＬの固体触媒の存在下で、５００ｍＬの実施例２−ａから得られたジオール混合物、１２００ｍＬのＴＨＦ、及び１５００ｇのアンモニアを混合した。ニッケル、銅、及びモリブデンの酸化物、並びにジルコニウムの二酸化物を含有する触媒を、３×３ｍｍの錠剤の形態にした。オートクレーブに水素をパージし、１ＭＰａ（１０バール）に加圧した後、混合物を２０５℃に加熱した。圧力を２８ＭＰａ（２８０バール）に上げ、反応混合物を２０５℃で１５時間撹拌し、全圧を２８ＭＰａ（２８０バール）に維持した。１５時間後、オートクレーブを周囲温度まで冷却し、生成物を回収し、濾過し、ロータリーエバポレーターでストリッピングして、軽質アミン及び水を除去した。合計３００グラムの淡色ポリエーテルアミン混合物が単離された。その分析結果を表２に示す。
【００８２】
【表２】
0006262365.tif 000044
【００８３】
（実施例３）
１モルのトリエタノールアミン＋４モルのブチレンオキシド、アミノ化
ａ）１モルのトリエタノールアミン＋４モルのブチレンオキシド
２Ｌのオートクレーブ中で、２０８．９ｇのトリエタノールアミン及び３．２５ｇの水酸化カリウム（水中５０％）を８０℃で混合し、真空下（＜１ｋＰａ（＜１０ミリバール））、１００℃で２時間撹拌した。オートクレーブに窒素を３回パージし、１４０℃に加熱した。６時間以内に、６０４．８ｇのブチレンオキシドを部分に分けて加えた。反応を完了させるため、この混合物を１４０℃で更に７時間反応させた。反応混合物を窒素でストリッピングし、減圧下８０℃で揮発性化合物を除去した。２４．６ｇの合成ケイ酸マグネシウム（Ｍａｃｒｏｓｏｒｂ  ＭＰ５ｐｌｕｓ、Ｉｎｅｏｓ  Ｓｉｌｉｃａｓ  Ｌｔｄ．）を加え、１００℃で２時間撹拌し、減圧下で２時間脱水することによって、触媒を除去した。濾過後、８２０．０ｇの帯明黄色油が得られた（アミン価：９２．６ｍｇＫＯＨ／ｇ）。
【００８４】
ｂ）１モルのトリエタノールアミン＋４モルのブチレンオキシド、アミノ化
９Ｌのオートクレーブにおいて、２００ｍＬの固体触媒の存在下で、７００ｇの実施例３−ａから得られたジオール混合物、５００ｍＬのＴＨＦ、及び１５００ｇのアンモニアを混合した。ニッケル、銅、及びモリブデンの酸化物、並びにジルコニウムの二酸化物を含有する触媒を、３×３ｍｍの錠剤の形態にした。オートクレーブに水素をパージし、更に２ＭＰａ（２０バール）に加圧した後、混合物を２０５℃に加熱した。圧力を２８ＭＰａ（２８０バール）に上げ、反応混合物を２０５℃で１５時間撹拌し、全圧を２８ＭＰａ（２８０バール）に維持した。１５時間後、オートクレーブを周囲温度まで冷却し、生成物を回収し、濾過し、ロータリーエバポレーターでストリッピングして、軽質アミン及び水を除去した。合計５５０グラムの淡色ポリエーテルアミン混合物が単離された。その分析結果を表３に示す。
【００８５】
【表３】
0006262365.tif 000045
【００８６】
（実施例４）
１モルの１，２−プロパンジオール＋４モルのブチレンオキシド、アミノ化
ａ）１モルの１，２−プロパンジオール＋４モルのブチレンオキシド
２Ｌのオートクレーブに、１５２．２ｇの１，２−プロパンジオール及び１．５ｇのｔｅｒｔ−ブチル化カリウムを投入し、１２０℃に加熱した。オートクレーブに窒素を３回パージし、１４０℃に加熱した。１０時間以内に、５７６．０ｇのブチレンオキシドを部分に分けて加えた。反応を完了させるため、この混合物を撹拌し、１４０℃で更に８時間反応させた。反応混合物を窒素でストリッピングし、減圧下８０℃で揮発性化合物を除去した。２３．０ｇの合成ケイ酸マグネシウム（Ｍａｃｒｏｓｏｒｂ  ＭＰ５ｐｌｕｓ、Ｉｎｅｏｓ  Ｓｉｌｉｃａｓ  Ｌｔｄ．）を加え、１００℃で２時間撹拌し、濾過することによって、触媒を除去した。帯明黄色油が得られた（７３０．１ｇ、ヒドロキシ価：２５１．７ｍｇＫＯＨ／ｇ）。
【００８７】
ｂ）１モルの１，２−プロパンジオール＋４モルのブチレンオキシド、アミノ化
９Ｌのオートクレーブにおいて、欧州特許第０  ６９６  ５７２  Ｂ１号に記載される２００ｍＬの固体触媒の存在下で、６５０ｇの実施例１−ａから得られた液体ジオール混合物、１０５０ｍＬのＴＨＦ、及び１５００ｇのアンモニアを混合した。ニッケル、銅、モリブデン、及びジルコニウムを含有する触媒を、３×３ｍｍの錠剤の形態にした。オートクレーブに水素をパージし、オートクレーブを加熱することによって反応を開始した。反応混合物を２０５℃で１５時間撹拌し、全還元アミノ化工程の間水素をパージすることによって全圧を２８ＭＰａ（２８０バール）に維持した。オートクレーブを冷却した後、最終生成物を回収し、濾過し、過剰のアンモニアを放気し、ロータリーエバポレーターでストリッピングして、軽質アミン及び水を除去した。合計５００グラムの淡色ポリエーテルアミン混合物が回収された。その分析結果を表４に示す。
【００８８】
【表４】
0006262365.tif 000046
【００８９】
（実施例５）
１モルの１，２−ペンタンジオール＋３．４モルのプロピレンオキシド、アミノ化
ａ）１モルの１，２−ペンタンジオール＋３．４モルのプロピレンオキシド
２Ｌのオートクレーブ中で、２０８．３ｇの１，２−ペンタンジオール及び６．０３ｇの水酸化カリウム（水中５０％）を混合し、真空下（＜１ｋＰａ（＜１０ミリバール））、１２０℃で２時間撹拌した。オートクレーブに窒素をパージし、１４０℃に加熱した。５時間以内に、３９４．２ｇのプロピレンオキシドを部分に分けて加えた。反応を完了させるため、この混合物を１４０℃で更に５時間反応させた。反応混合物を窒素でストリッピングし、減圧下８０℃で揮発性化合物を除去した。１８．１ｇの合成ケイ酸マグネシウム（Ｍａｃｒｏｓｏｒｂ  ＭＰ５ｐｌｕｓ、Ｉｎｅｏｓ  Ｓｉｌｉｃａｓ  Ｌｔｄ．）を加えることによって、水酸化カリウムを除去した。この混合物を、９０℃、＜１ｋＰａ（＜１０ミリバール）で２時間撹拌した。濾過後、６０５．５ｇの帯明黄色油が得られた（ヒドロキシ価：３３６．３ｍｇＫＯＨ／ｇ）。
【００９０】
ｂ）１モルの１，２−ペンタンジオール＋３．４モルのプロピレンオキシド、アミノ化
９Ｌのオートクレーブにおいて、５００ｍＬの固体触媒の存在下で、５００．０ｇの実施例１−ａから得られたアルコキシル化ジアルコール、１２００ｍＬのＴＨＦ、及び１５００．０ｇのアンモニアを混合した。ニッケル、銅、及びモリブデンの酸化物、並びにジルコニウムの二酸化物を含有する触媒を、３×３ｍｍの錠剤の形態にした。オートクレーブに水素をパージし、２ＭＰａ（２０バール）に加圧した後、混合物を２０５℃に加熱した。圧力を２８ＭＰａ（２８０バール）に上げ、反応混合物を２０５℃で１５時間撹拌し、全圧を２８ＭＰａ（２８０バール）に維持した。１５時間後、オートクレーブを周囲温度まで冷却し、生成物を回収し、濾過し、ロータリーエバポレーターでストリッピングして、軽質アミン及び水を除去した。合計４５０．０グラムの淡色ポリエーテルアミン混合物が単離された。その分析結果を表５に示す。
【００９１】
【表５】
0006262365.tif 000047
【００９２】
（実施例６）
１モルの１，２−ヘキサンジオール＋３．４モルのプロピレンオキシド、アミノ化
ａ）１モルの１，２−ヘキサンジオール＋３．４モルのプロピレンオキシド
２Ｌのオートクレーブ中で、２３６．３ｇの１，２−ヘキサンジオール及び６．３ｇの水酸化カリウム（水中５０％）を混合し、真空下（＜１ｋＰａ（＜１０ミリバール））、１２０℃で２時間撹拌した。オートクレーブに窒素をパージし、１４０℃に加熱した。５時間以内に、３９４．２ｇのプロピレンオキシドを部分に分けて加えた。反応を完了させるため、この混合物を１４０℃で更に５時間反応させた。反応混合物を窒素でストリッピングし、減圧下８０℃で揮発性化合物を除去した。１９．０ｇの合成ケイ酸マグネシウム（Ｍａｃｒｏｓｏｒｂ  ＭＰ５ｐｌｕｓ、Ｉｎｅｏｓ  Ｓｉｌｉｃａｓ  Ｌｔｄ．）を加えることによって、水酸化カリウムを除去した。この混合物を、９０℃、＜１ｋＰａ（＜１０ミリバール）で２時間撹拌した。濾過後、６３１．０ｇの帯明黄色油が得られた（ヒドロキシ価：３１５．４ｍｇＫＯＨ／ｇ）。
【００９３】
ｂ）１モルの１，２−ヘキサンジオール＋３．４モルのプロピレンオキシド、アミノ化
９Ｌのオートクレーブにおいて、２００ｍＬの固体触媒の存在下で、５００．０ｇの実施例２−ａから得られたアルコキシル化ジアルコール、１２００ｍＬのＴＨＦ、及び１５００．０ｇのアンモニアを混合した。ニッケル、銅、及びモリブデンの酸化物、並びにジルコニウムの二酸化物を含有する触媒を、３×３ｍｍの錠剤の形態にした。オートクレーブに水素をパージし、２ＭＰａ（２０バール）に加圧した後、混合物を２０５℃に加熱した。圧力を２８ＭＰａ（２８０バール）に上げ、反応混合物を２０５℃で１５時間撹拌し、全圧を２８ＭＰａ（２８０バール）に維持した。１５時間後、オートクレーブを周囲温度まで冷却し、生成物を回収し、濾過し、ロータリーエバポレーターでストリッピングして、軽質アミン及び水を除去した。合計４５０．０グラムの淡色ポリエーテルアミン混合物が単離された。その分析結果を表６に示す。
【００９４】
【表６】
0006262365.tif 000048
【００９５】
（実施例７）
１モルの１，２−オクタンジオール＋３．４モルのプロピレンオキシド、アミノ化
ａ）１モルの１，２−オクタンジオール＋３．４モルのプロピレンオキシド
２Ｌのオートクレーブ中で、２４８．６ｇの１，２−オクタンジオール及び５．８ｇの水酸化カリウム（水中５０％）を混合し、真空下（＜１ｋＰａ（＜１０ミリバール））、１２０℃で２時間撹拌した。オートクレーブに窒素をパージし、１４０℃に加熱した。５時間以内に、３３５．２ｇのプロピレンオキシドを部分に分けて加えた。反応を完了させるため、この混合物を１４０℃で更に５時間反応させた。反応混合物を窒素でストリッピングし、減圧下８０℃で揮発性化合物を除去した。１７．５ｇの合成ケイ酸マグネシウム（Ｍａｃｒｏｓｏｒｂ  ＭＰ５ｐｌｕｓ、Ｉｎｅｏｓ  Ｓｉｌｉｃａｓ  Ｌｔｄ．）を加えることによって、水酸化カリウムを除去した。この混合物を、９０℃、＜１ｋＰａ（＜１０ミリバール）で２時間撹拌した。濾過後、５８５．０ｇの帯黄色油が得られた（ヒドロキシ価：２９３．２ｍｇＫＯＨ／ｇ）。
【００９６】
ｂ）１モルの１，２−オクタンジオール＋３．４モルのプロピレンオキシド、アミノ化
９Ｌのオートクレーブにおいて、２００ｍＬの固体触媒の存在下で、５００ｍＬの実施例３−ａから得られたアルコキシル化ジアルコール、１２００ｍＬのＴＨＦ、及び１５００．０ｇのアンモニアを混合した。ニッケル、銅、及びモリブデンの酸化物、並びにジルコニウムの二酸化物を含有する触媒を、３×３ｍｍの錠剤の形態にした。オートクレーブに水素をパージし、２ＭＰａ（２０バール）に加圧した後、混合物を２０５℃に加熱した。圧力を２８ＭＰａ（２８０バール）に上げ、反応混合物を２０５℃で１５時間撹拌し、全圧を２８ＭＰａ（２８０バール）に維持した。１５時間後、オートクレーブを周囲温度まで冷却し、生成物を回収し、濾過し、ロータリーエバポレーターでストリッピングして、軽質アミン及び水を除去した。合計４５０．０グラムの淡色ポリエーテルアミン混合物が単離された。その分析結果を表７に示す。
【００９７】
【表７】
0006262365.tif 000049
【００９８】
（実施例８）
１モルの１，２−デカンジオール＋３．４モルのプロピレンオキシド、アミノ化
ａ）１モルの１，２−デカンジオール＋３．４モルのプロピレンオキシド
２Ｌのオートクレーブ中で、２７８．８ｇの１，２−デカンジオール及び５．９ｇの水酸化カリウム（水中５０％）を混合し、真空下（＜１ｋＰａ（＜１０ミリバール））、１２０℃で２時間撹拌した。オートクレーブに窒素をパージし、１４０℃に加熱した。５時間以内に、３１５．５ｇのプロピレンオキシドを部分に分けて加えた。反応を完了させるため、この混合物を１４０℃で更に５時間反応させた。反応混合物を窒素でストリッピングし、減圧下８０℃で揮発性化合物を除去した。１８．０ｇの合成ケイ酸マグネシウム（Ｍａｃｒｏｓｏｒｂ  ＭＰ５ｐｌｕｓ、Ｉｎｅｏｓ  Ｓｉｌｉｃａｓ  Ｌｔｄ．）を加えることによって、水酸化カリウムを除去した。この混合物を、９０℃、＜１ｋＰａ（＜１０ミリバール）で２時間撹拌した。濾過後、５９５．０ｇの黄色油が得られた（ヒドロキシ価：２７８．４ｍｇＫＯＨ／ｇ）。
【００９９】
ｂ）１モルの１，２−デカンジオール＋３．４モルのプロピレンオキシド、アミノ化
９Ｌのオートクレーブにおいて、２００ｍＬの固体触媒の存在下で、５００ｍＬの実施例４−ａから得られたアルコキシル化ジアルコール、１２００ｍＬのＴＨＦ、及び１５００ｇのアンモニアを混合した。ニッケル、銅、及びモリブデンの酸化物、並びにジルコニウムの二酸化物を含有する触媒を、３×３ｍｍの錠剤の形態にした。オートクレーブに水素をパージし、２ＭＰａ（２０バール）に加圧した後、混合物を２０５℃に加熱した。圧力を２８ＭＰａ（２８０バール）に上げ、反応混合物を２０５℃で１５時間撹拌し、全圧を２８ＭＰａ（２８０バール）に維持した。１５時間後、オートクレーブを周囲温度まで冷却し、生成物を回収し、濾過し、ロータリーエバポレーターでストリッピングして、軽質アミン及び水を除去した。合計４００グラムの淡色ポリエーテルアミン混合物が単離された。その分析結果を表８に示す。
【０１００】
【表８】
0006262365.tif 000050
【０１０１】
（実施例９）
１モルの１，２−ドデカンジオール＋３．４モルのプロピレンオキシド、アミノ化
ａ）１モルの１，２−ドデカンジオール＋３．４モルのプロピレンオキシド
２Ｌのオートクレーブ中で、３３７．２ｇの１，２−ドデカンジオール及び６．０ｇの水酸化カリウム（水中５０％）を混合し、真空下（＜１ｋＰａ（＜１０ミリバール））、１２０℃で２時間撹拌した。オートクレーブに窒素をパージし、１４０℃に加熱した。５時間以内に、２９５．８ｇのプロピレンオキシドを部分に分けて加えた。反応を完了させるため、この混合物を１４０℃で更に５時間反応させた。反応混合物を窒素でストリッピングし、減圧下８０℃で揮発性化合物を除去した。１９．１ｇの合成ケイ酸マグネシウム（Ｍａｃｒｏｓｏｒｂ  ＭＰ５ｐｌｕｓ、Ｉｎｅｏｓ  Ｓｉｌｉｃａｓ  Ｌｔｄ．）を加えることによって、水酸化カリウムを除去した。この混合物を、９０℃、＜１ｋＰａ（＜１０ミリバール）で２時間撹拌した。濾過後、６３６．０ｇの黄色油が得られた（ヒドロキシ価：２７５．５ｍｇＫＯＨ／ｇ）。
【０１０２】
ｂ）１モルの１，２−ドデカンジオール＋３．４モルのプロピレンオキシド、アミノ化
９Ｌのオートクレーブにおいて、２００ｍＬの固体触媒の存在下で、５０００ｇの実施例５−ａから得られたアルコキシル化ジアルコール、１２００ｍＬのＴＨＦ、及び１５００ｇのアンモニアを混合した。ニッケル、銅、及びモリブデンの酸化物、並びにジルコニウムの二酸化物を含有する触媒を、３×３ｍｍの錠剤の形態にした。オートクレーブに水素をパージし、２ＭＰａ（２０バール）に加圧した後、混合物を２０５℃に加熱した。圧力を２８ＭＰａ（２８０バール）に上げ、反応混合物を２０５℃で１５時間撹拌し、全圧を２８ＭＰａ（２８０バール）に維持した。１５時間後、オートクレーブを周囲温度まで冷却し、生成物を回収し、濾過し、ロータリーエバポレーターでストリッピングして、軽質アミン及び水を除去した。合計４５０．０グラムの淡色ポリエーテルアミン混合物が単離された。その分析結果を表９に示す。
【０１０３】
【表９】
0006262365.tif 000051
【０１０４】
一般的に、アミノ化度は、約５０％〜約１００％、典型的には約６０％〜約１００％、より典型的には約７０％〜約１００％である。
【０１０５】
アミノ化度は、全アミン価（ＡＺ）を全アセチル化可能価（ＡＣ）及び三価アミン価（ｔｅｒｔ．ＡＺ）の和で割り、１００を掛けたもの（全ＡＺ：（ＡＣ＋ｔｅｒｔ．ＡＺ）×１００）によって計算される。全アミン価（ＡＺ）はＤＩＮ  １６９４５に従って求められる。全アセチル化可能価（ＡＣ）はＤＩＮ  ５３２４０に従って求められる。二価アミン及び三価アミン価はＡＳＴＭ  Ｄ２０７４−０７に従って求められる。
【０１０６】
ヒドロキシル価は（全アセチル化可能価＋三価アミン価）−全アミン価から計算される。
【０１０７】
本発明のポリエーテルアミンは、汚れた材料からしみ、特に油を除去するのに有効である。本発明のポリエーテルアミンを含有する洗浄組成物は、また、コーヒ、ティー、ワインなどの親水性の漂白可能なしみ、又は微粒子上で在来のアミン含有洗浄組成物で見られる洗浄面のマイナスを呈さない。加えて、従来のアミン含有洗浄組成物と異なり、本発明のポリエーテルアミンは、白色布地上の白色度の面のマイナスに寄与しない。
【０１０８】
本発明のポリエーテルアミンは、例えばクエン酸、乳酸、硫酸、メタンスルホン酸、塩化水素、例えば塩化水素水溶液、リン酸、又はこれらの混合物などの酸と一緒にポリエーテルアミンの水系、含水、又は無水の溶液、エマルション、ゲル又はペーストの形で使用され得る。あるいは、酸は、アルキルベンゼンスルホン酸、アルキルスルホン酸、硫酸のモノアルキルエステル、硫酸のモノアルキルエトキシエステル、脂肪酸、アルキルエトキシカルボン酸、など又はこれらの混合物などの界面活性剤により代表されてもよい。適用可能又は測定可能な場合は、溶液又はエマルションの好ましいｐＨは、ｐＨ３〜ｐＨ１１、又はｐＨ６〜ｐＨ９．５、更により好ましくはｐＨ７〜ｐＨ８．５の範囲である。
【０１０９】
三級ジアルキル置換ポリエーテルアミンは、それぞれ一級ポリエーテルアミンから還元アミノ化によって調製できる。典型的な方法は、ギ酸などの水素供与体の存在下で、又は、水素ガス及び遷移金属含有触媒の存在下で、ホルムアルデヒド、又はエタナール、１−プロパナール又は１−ブタナールなどの他のアルキルアルデヒドを使用することを含む。あるいは、ジアルキル（dialky）置換三級ポリエーテルアミンは、反応水を連続的に除去しながら好適な遷移金属触媒の存在下で、典型的には追加的に水素の存在下で、ポリエーテルアルコールをジメチルアミンなどのジアルキルアミンと反応させることによって得ることができる。
【０１１０】
本発明のポリエーテルアミンを含む洗浄組成物の更なる利点は、例えば、油しみの前処理とそれに続く冷水洗浄によって、冷水中で油しみを除去する能力である。理論により制約されるのでないが、冷水洗浄溶液は、油を硬化又は固化する効果を有し、特に布地上での油の除去の抵抗性を大きくすると考えられる。本発明のポリエーテルアミンを含有する洗浄組成物は、前処理方法の一部として使用しそれに続く冷水洗浄を行うと驚くほど有効である。
【０１１１】
界面活性剤
洗浄組成物は、１つ以上の界面活性剤を含んでよい。洗浄組成物は、組成物の重量で約１％〜約７０％の界面活性剤を含んでよい。洗浄組成物は、組成物の重量で約２％〜約６０％の界面活性剤を含んでよい。洗浄組成物は、組成物の重量で約５％〜約３０％の界面活性剤を含んでよい。界面活性剤は、アニオン性界面活性剤、非イオン性界面活性剤、カチオン性界面活性剤、双性イオン性界面活性剤、両性界面活性剤、両性電解質界面活性剤、及びこれらの混合物からなる群から選択されてよい。界面活性剤は、汚れた材料に洗浄、しみ除去、又は洗濯効果をもたらす、任意の界面活性剤又は界面活性剤の混合物を包含する、洗浄性界面活性剤であってよい。
【０１１２】
アニオン性界面活性剤
洗浄組成物は、アニオン性界面活性剤を含んでよい。洗浄組成物は、アニオン性界面活性剤から本質的に構成される、又は更にはアニオン性界面活性剤から構成されてよい。
【０１１３】
好適なアニオン性界面活性剤の具体的な非限定的な例としては、任意の在来のアニオン性界面活性剤が挙げられる。これは、例えばアルコキシル化及び／又は非アルコキシル化アルキルサルフェート材料用のサルフェート洗浄性界面活性剤、及び／又はスルホン酸系洗浄性界面活性剤、例えばアルキルベンゼンスルホネートを含んでもよい。
【０１１４】
アルコキシル化アルキルサルフェート材料は、アルキルエーテルサルフェート又はアルキルポリエトキシレートサルフェートとしても既知のエトキシル化アルキルサルフェート界面活性剤を含む。エトキシル化アルキルサルフェートとしては、水溶性塩、特に約８個〜約３０個の炭素原子を含有するアルキル基及びスルホン酸基及びその塩を分子構造の中に有する有機イオウ反応生成物のアルカリ金属塩、アンモニウム塩、及びアルキロールアンモニウム塩が挙げられる。用語「アルキル」には、アシル基のアルキル部分が含まれる。一部の例では、アルキル基は、約１５個の炭素原子〜約３０個の炭素原子を含有する。他の例では、アルキルエーテルサルフェート界面活性剤は、約１２〜３０個の炭素原子の範囲内、及び一部の例では約２５個の炭素原子の平均炭素鎖長の範囲内の平均（算術平均）炭素鎖長、及び約１モル〜４モルのエチレンオキシドの平均（算術平均）エトキシル化度、及び一部の例では１．８モルのエチレンオキシドの平均（算術平均）エトキシル化を有するアルキルエーテルサルフェートの混合物であってもよい。更なる例では、アルキルエーテルサルフェート界面活性剤は、約１０炭素原子〜約１８炭素原子の間の炭素鎖長、及びエチレンオキシド約１〜約６モルのエトキシル化度を有してもよい。なお更なる例では、アルキルエーテルサルフェート界面活性剤はピークのあるエトキシル化分布を含んでもよい。
【０１１５】
また、非アルコキシル化アルキルサルフェートを開示される洗剤組成物に添加し、アニオン性界面活性剤成分として使用することもできる。非アルコキシル化、例えば非エトキシル化アルキルサルフェート界面活性剤の例としては、高級Ｃ８〜Ｃ２０脂肪族アルコールの硫酸化よって生成されるものが挙げられる。いくつかの例では、第一級アルキルサルフェート界面活性剤は、ＲＯＳＯ３−Ｍ＋という一般式を有し、式中、Ｒは典型的には、直鎖状のＣ８〜Ｃ２０ヒドロカルビル基であり（この基は、直鎖であっても、分岐鎖であってもよい）、Ｍは水溶化カチオンである。いくつかの例では、ＲはＣ１０〜Ｃ１５アルキルであり、Ｍはアルカリ金属である。別の例では、ＲはＣ１２〜Ｃ１４アルキルであり、Ｍはナトリウムである。
【０１１６】
他の有用なアニオン性界面活性剤として、アルキル基が約９〜約１５個の炭素原子を直鎖状（線状）又は分岐鎖状の配置で含有するアルキルベンゼンスルホネートのアルカリ金属塩を挙げることができる。いくつかの例では、アルキル基は直鎖状である。そのような直鎖状アルキルベンゼンスルホネートは「ＬＡＳ」として既知である。他の例では、直鎖状アルキルベンゼンスルホネートは、アルキル基中の約１１〜１４の平均炭素原子数を有することもある。具体例では、直鎖アルキルベンゼンスルホネートのアルキル基中の平均炭素原子数は、約１１．８個の炭素原子であってよく、この直鎖アルキルベンゼンスルホネートは、Ｃ１１．８  ＬＡＳと略してよい。
【０１１７】
好適なアルキルベンゼンスルホネート（ＬＡＳ）は市販の線状アルキルベンゼン（ＬＡＢ）をスルホン化することにより得られてもよく、好適なＬＡＢとしては商品名Ｉｓｏｃｈｅｍ（登録商標）としてＳａｓｏｌにより供給されているもの又はＰｅｔｒｓａにより商品名Ｐｅｔｒｅｌａｂ（登録商標）として供給されているものなどの低２−フェニルＬＡＢ、他の好適なＬＡＢとしては商品名Ｈｙｂｌｅｎｅ（登録商標）としてＳａｓｏｌにより供給されているものなどの高２−フェニルＬＡＢが挙げられる。好適なアニオン性洗浄性界面活性剤は、ＤＥＴＡＬにより触媒されるプロセスによって得られるアルキルベンゼンスルホネートであるが、ＨＦなどの他の合成経路が好適な場合もある。ＬＡＳのマグネシウム塩も使用できる。
【０１１８】
洗浄性界面活性剤は、中鎖分枝状洗浄性界面活性剤、例えば、中鎖分枝状アルキルサルフェート及び／又は中鎖分枝状アルキルベンゼンスルホネートなどの中鎖分枝状アニオン性洗浄性界面活性剤であってよい。
【０１１９】
本発明において有用なその他のアニオン性界面活性剤は、約８〜約２４個（いくつかの例では約１２〜１８個）の炭素原子を含むパラフィンスルホネート及び第二級アルカンスルホネート、アルキルグリセリルエーテルスルホネート、特に、Ｃ８〜１８アルコールのこれらのエーテル（例えば牛脂及びヤシ油由来のもの）の水溶性塩である。アルキルベンゼンスルホネートと、上記のパラフィンスルホネート、第二級アルカンスルホネート、及びアルキルグリセリルエーテルスルホネートとの混合物も有用である。更なる好適なアニオン性界面活性剤としては、メチルエステルスルホネート及びアルキルエーテルカルボキシレートが挙げられる。
【０１２０】
アニオン性界面活性剤は酸形で存在してもよく、中和されて界面活性剤塩を形成してもよい。典型的な中和剤としては、水酸化物、例えばＮａＯＨ又はＫＯＨなどの金属対イオン塩基が挙げられる。酸形のアニオン性界面活性剤の更なる好適な中和剤としては、アンモニア、アミン、又はアルカノールアミンが挙げられる。アルカノールアミンの非限定例として、モノエタノールアミン、ジエタノールアミン、トリエタノールアミン、及び当該技術分野において既知のその他直鎖又は分枝鎖アルカノールアミンが挙げられ、好適なアルカノールアミンとして、２−アミノ−１−プロパノール、１−アミノプロパノール、モノイソプロパノールアミン、又は１−アミノ−３−プロパノールが挙げられる。アミン中和は完全又は部分的に行われてもよく、例えばアニオン性界面活性剤の一部はナトリウム又はカリウムにより中和されてもよく、及びアニオン性界面活性剤の一部はアミン又はアルカノールアミンにより中和されてもよい。
【０１２１】
非イオン性界面活性剤
洗浄組成物は、非イオン性界面活性剤を含んでよい。洗浄組成物は、洗浄組成物の約０．１重量％〜約５０重量％の非イオン性界面活性剤を含んでよい。洗浄組成物は、洗浄組成物の約０．１重量％〜約２５重量％、又は約０．１重量％〜約１５重量％の非イオン性界面活性剤を含んでよい。洗浄組成物は、洗浄組成物の約０．３重量％〜約１０重量％の非イオン性界面活性剤を含んでよい。
【０１２２】
本明細書で有用な、好適な非イオン性界面活性剤は、任意の従来の非イオン性界面活性剤を含んでもよい。これらには、例えば、アルコキシル化脂肪族アルコール、及びアミンオキシド界面活性剤が含まれ得る。いくつかの例では、洗剤組成物は、エトキシル化非イオン性界面活性剤を含んでよい。非イオン性界面活性剤は、式Ｒ（ＯＣ２Ｈ４）ｎＯＨのエトキシル化アルコール及びエトキシル化アルキルフェノールから選択することができ、式中、Ｒは、約８個〜約１５個の炭素原子を含有する脂肪族炭化水素ラジカル及びアルキル基が約８個〜約１２個の炭素原子を含有するアルキルフェニルラジカルからなる群から選択され、ｎの平均値は、約５〜約１５である。非イオン性界面活性剤は、アルコール中に平均約２４個の炭素原子及びアルコール１モル当たりエチレンオキシド約９モルの平均エトキシル化度を有するエトキシル化アルコールから選択されてよい。
【０１２３】
本明細書で有用な非イオン性界面活性剤のその他の非限定例として、Ｃ８〜Ｃ１８アルキルエトキシレート、例えば、ＳｈｅｌｌのＮＥＯＤＯＬ（登録商標）非イオン性界面活性剤；Ｃ６〜Ｃ１２アルキルフェノールアルコキシレート（ここで、アルコキシレート単位はエチレンオキシ単位、プロピレンオキシ単位、又はこれらの混合物であってよい）；エチレンオキシド／プロピレンオキシドブロックポリマーとのＣ１２〜Ｃ１８アルコール及びＣ６〜Ｃ１２アルキルフェノール縮合物、例えば、ＢＡＳＦのＰｌｕｒｏｎｉｃ（登録商標）；Ｃ１４〜Ｃ２２中鎖分枝状アルコール、ＢＡ；Ｃ１４〜Ｃ２２中鎖分枝状アルキルアルコキシレート、ＢＡＥｘ（式中、ｘは１〜３０）；アルキル多糖類；具体的には、アルキルポリグリコシド；ポリヒドロキシ脂肪酸アミド；並びに、エーテルでキャップしたポリ（オキシアルキル化）アルコール界面活性剤が挙げられる。
【０１２４】
好適な非イオン性洗浄性界面活性剤は、また、アルキルポリグルコシド及びアルキルアルコキシル化アルコールを含む。好適な非イオン性界面活性剤は、また、商品名Ｌｕｔｅｎｓｏｌ（登録商標）としてＢＡＳＦから販売されているものを含む。
【０１２５】
非イオン性界面活性剤は、Ｃ８〜１８アルキルアルコキシル化アルコール、例えば、Ｃ８〜１８アルキルエトキシル化アルコールなどのアルキルアルコキシル化アルコールから選択されてよい。アルキルアルコキシル化アルコールは、約１〜約５０、又は約１〜約３０、又は約１〜約２０、又は約１〜約１０、又は約１〜約７、又は約１〜約５、又は約３〜約７の平均アルコキシル化度を有してもよい。アルキルアルコキシル化アルコールは、直鎖状又は分岐鎖状、置換又は非置換であることができる。
【０１２６】
カチオン性界面活性剤
洗浄組成物は、カチオン性界面活性剤を含んでよい。洗浄組成物は、洗浄組成物の約０．１重量％〜約１０重量％、又は約０．１重量％〜約７重量％、又は約０．１重量％〜約５重量％、又は約１重量％〜約４重量％のカチオン性界面活性剤を含んでよい。本発明の洗浄組成物は、カチオン性界面活性剤、及びｐＨ７未満又はｐＨ６未満でカチオン性となる界面活性剤を実質的に含まなくてよい。
【０１２７】
カチオン性界面活性剤の非限定例として、最大２６個の炭素原子を有し得る第四級アンモニウム界面活性剤が挙げられ、このような界面活性剤としては、アルコキシレート第四級アンモニウム（ＡＱＡ）界面活性剤、ジメチルヒドロキシエチル第四級アンモニウム、ジメチルヒドロキシエチルラウリルアンモニウムクロリド、ポリアミンカチオン性界面活性剤、カチオン性エステル界面活性剤、及び、アミノ界面活性剤、具体的にはアミドプロピルジメチルアミン（ＡＰＡ）が挙げられる。
【０１２８】
好適なカチオン性洗浄性界面活性剤としては、また、アルキルピリジニウム化合物、アルキル第四級アンモニウム化合物、アルキル第四級ホスホニウム化合物、アルキル第三級スルホニウム化合物、及びこれらの混合物も挙げられる。
【０１２９】
好適カチオン性浄性界面活性剤は、下記の一般式を有する第四級アンモニウム化合物である：
（Ｒ）（Ｒ１）（Ｒ２）（Ｒ３）Ｎ＋Ｘ−
式中、Ｒは直鎖状又は分岐鎖状、置換又は非置換Ｃ６〜１８アルキル又はアルケニル部分であり、Ｒ１及びＲ２はメチル又はエチル部分から独立して選択され、Ｒ３はヒドロキシ、ヒドロキシメチル又はヒドロキシエチル部分であり、Ｘは電荷の中性を提供するアニオンであり、好適なアニオンとしてはハライド、例えばクロリド、サルフェート、及びスルホネートが挙げられる。好適なカチオン性洗浄性界面活性剤は、モノ−Ｃ６〜１８アルキルモノ−ヒドロキシエチルジ−メチル四級アンモニウムクロリドである。高度に好適なカチオン性洗浄性界面活性剤は、モノ−Ｃ８〜１０アルキルモノ−ヒドロキシエチルジ−メチル四級アンモニウムクロリド、モノ−Ｃ１０〜１２アルキルモノ−ヒドロキシエチルジ−メチル四級アンモニウムクロリド及びモノ−Ｃ１０アルキルモノ−ヒドロキシエチルジ−メチル四級アンモニウムクロリドである。
【０１３０】
双性イオン性界面活性剤
洗浄組成物は、双性イオン性界面活性剤を含んでよい。双性イオン性界面活性剤の例としては、二級及び三級アミン誘導体、複素環式二級及び三級アミン誘導体、又は四級アンモニウム化合物、四級ホスホニウム化合物若しくは三級スルホニウム化合物の誘導体が挙げられる。双性イオン性界面活性剤の好適な例として、アルキルジメチルベタイン及びココジメチルアミドプロピルベタイン、Ｃ８〜Ｃ１８（例えば、Ｃ１２〜Ｃ１８）アミンオキシド、並びに、アルキル基がＣ８〜Ｃ１８であってよいＮ−アルキル−Ｎ，Ｎ−ジメチルアミノ−１−プロパンスルホネートなどのスルホ及びヒドロキシベタインを包含するベタインが挙げられる。
【０１３１】
両性界面活性剤
洗浄組成物は、両性界面活性剤を含んでよい。両性界面活性剤の例としては、二級又は三級アミンの脂肪族誘導体、脂肪族基が直鎖又は分岐鎖であってもよく、及び脂肪族置換基の１つが少なくとも約８個の炭素原子、又は約８〜約１８個の炭素原子を含み、及び脂肪族置換基の少なくとも１つがアニオン性水溶解基、例えばカルボキシ、スルホネート、サルフェートを含むヘテロ環式二級及び三級アミンの脂肪族誘導体が挙げられる。この定義の範疇に入る化合物の例は、ナトリウム３−（ドデシルアミノ）プロピオネート、ナトリウム３−（ドデシルアミノ）プロパン−１−スルホネート、ナトリウム２−（ドデシルアミノ）エチルスルフェート、ナトリウム２−（ジメチルアミノ）オクタデカノエート、二ナトリウム３−（Ｎ−カルボキシメチルドデシルアミノ）プロパン１−スルホネート、二ナトリウムオクタデシル−イミノジアセテート、ナトリウム１−カルボキシメチル−２−ウンデシルイミダゾール、及び、ナトリウムＮ，Ｎ−ビス（２−ヒドロキシエチル）−２−スルファト−３−ドデコキシプロピルアミンである。好適な両性界面活性剤としては、また、サルコシネート、グリコシネート、タウリネート、及びこれらの混合物も挙げられる。
【０１３２】
分枝状界面活性剤
洗浄組成物は、分枝状界面活性剤を含んでよい。好適な分岐状界面活性剤としては、分岐サルフェート又は分岐スルホネート界面活性剤、例えば、分岐アルキルサルフェート、分岐アルキルアルコキシル化サルフェート、及び分岐アルキルベンゼンスルホネートから選択され、１つ以上のランダムアルキル分岐、例えば、Ｃ１〜４アルキル基、典型的にはメチル及び／又はエチル基を含む、アニオン性分岐界面活性剤が挙げられる。
【０１３３】
分枝状洗浄性界面活性剤は、中鎖分枝状洗浄性界面活性剤、例えば、中鎖分枝状アルキルサルフェート及び／又は中鎖分枝状アルキルベンゼンスルホネートなどの中鎖分枝状アニオン性洗浄性界面活性剤であってよい。
【０１３４】
分枝状界面活性剤は、下式のアルキル鎖長の長い中鎖分岐状界面活性剤化合物を含んでよい。
Ａｂ−Ｘ−Ｂ
式中、
（ａ）Ａｂは、疎水性のＣ９〜Ｃ２２（その部分の合計炭素数）、典型的には、約Ｃ１２〜約Ｃ１８中鎖分枝状アルキル部分であって、（１）−Ｘ−Ｂ部分に結合した最長の直鎖炭素鎖であって、８〜２１個の炭素原子の範囲内の直鎖炭素鎖と、（２）この最長の直鎖炭素鎖から分岐している１つ以上のＣ１〜Ｃ３アルキル部分とを有し、（３）この分岐アルキル部分の少なくとも１つが、２位（−Ｘ−Ｂ部分に結合している１番目の炭素から数える）の炭素からω−２位の炭素（末端炭素から２個戻った炭素、すなわち、最長の直鎖炭素鎖の末端から３つ目の炭素）までの範囲内の位置で、最長の直鎖炭素鎖の炭素に直接結合しており、（４）その界面活性剤組成物において、上記式のＡｂ−Ｘ部分の炭素原子の平均合計数は、１４．５個超〜約１７．５個（典型的には約１５個〜約１７個）の範囲内である、部分であり、
ｂ）Ｂは、サルフェート、スルホネート、アミンオキシド、ポリオキシアルキレン（ポリオキシエチレン及びポリオキシプロピレンなど）、アルコキシル化サルフェート、ポリヒドロキシ部分、ホスフェートエステル、グリセロールスルホネート、ポリグルコネート、ポリホスフェートエステル、ホスホネート、スルホスクシネート、スルホサッカミネート、ポリアルコキシル化カルボキシレート、グルカミド、タウリネート、サルコシネート、グリシネート、イセチオネート、ジアルカノールアミド、モノアルカノールアミド、モノアルカノールアミドサルフェート、ジグリコールアミド、ジグリコールアミドサルフェート、グリセロールエステル、グリセロールエステルサルフェート、グリセロールエーテル、グリセロールエーテルサルフェート、ポリグリセロールエーテル、ポリグリセロールエーテルサルフェート、ソルビタンエステル、ポリアルコキシル化ソルビタンエステル、アンモニオアルカンスルホネート、アミドプロピルベタイン、アルキル化クワット、アルキル化／ポリヒドロキシアルキル化クワット、アルキル化／ポリヒドロキシル化オキシプロピルクワット、イミダゾリン、２−イル−スクシネート、スルホン化アルキルエステル、及びスルホン化脂肪酸（複数の疎水部分がＢに結合して（例えば、（Ａｂ−Ｘ）ｚ−Ｂの場合のように）ジメチルクワットをもたらす場合があることに注意されたい）から選択される、親水性部分であり、
（ｃ）Ｘは、−ＣＨ２−及び−Ｃ（Ｏ）−から選択される。
【０１３５】
一般に、上記の式において、Ａｂ部分は、いずれの第四級置換炭素原子（すなわち、１つの炭素原子に直接結合している４つの炭素原子）も有さない。得られる界面活性剤は、どの親水性部分（Ｂ）を選択するかに応じて、アニオン性、非イオン性、陽イオン性、双極イオン性、両性、又は両性電解質であってよい。Ｂはサルフェートであってよく、得られる界面活性剤はアニオン性であってよい。
【０１３６】
分枝状界面活性剤は、上記の式のアルキル鎖長の長い中鎖分枝状界面活性剤化合物を含んでよく、式中、Ａｂ部分は、下記の式を有する分枝状第一級アルキル部分であり、
【０１３７】
【化４１】
0006262365.tif 000052
分岐状第一級アルキル部分中（分岐しているＲ、Ｒ１、及びＲ２を含む）の炭素原子の総数は、１３〜１９個であり、Ｒ、Ｒ１、及びＲ２はそれぞれ独立して、水素、及びＣ１〜Ｃ３アルキル（典型的にはメチル）から選択し、ただし、Ｒ、Ｒ１、及びＲ２は、全て水素であることはなく、ｚが０の場合には、少なくともＲ又はＲ１が水素ではなく、ｗは、０〜１３の整数であり、ｘは、０〜１３の整数であり、ｙは、０〜１３の整数であり、ｚは、０〜１３の整数であり、ｗ＋ｘ＋ｙ＋ｚは、７〜１３である。
【０１３８】
分枝状界面活性剤は、上記の式のアルキル鎖長の長い中鎖分枝状界面活性剤化合物を含んでよく、式中、Ａｂ部分は、以下から選択される式を有する分枝状第一級アルキル部分であり、
【０１３９】
【化４２】
0006262365.tif 000053
又はこれらの混合物であり、ａ、ｂ、ｄ、及びｅは整数であり、ａ＋ｂは１０〜１６であり、ｄ＋ｅは８〜１４であり、更に、
ａ＋ｂ＝１０のとき、ａは２〜９の整数であり、ｂは１〜８の整数であり、
ａ＋ｂ＝１１のとき、ａは２〜１０の整数であり、ｂは１〜９の整数であり、
ａ＋ｂ＝１２のとき、ａは２〜１１の整数であり、ｂは１〜１０の整数であり、
ａ＋ｂ＝１３のとき、ａは２〜１２の整数であり、ｂは１〜１１の整数であり、
ａ＋ｂ＝１４のとき、ａは２〜１３の整数であり、ｂは１〜１２の整数であり、
ａ＋ｂ＝１５のとき、ａは２〜１４の整数であり、ｂは１〜１３の整数であり、
ａ＋ｂ＝１６のとき、ａは２〜１５の整数であり、ｂは１〜１４の整数であり、
ｄ＋ｅ＝８のとき、ｄは２〜７の整数であり、ｅは１〜６の整数であり、
ｄ＋ｅ＝９の場合、ｄは２〜８の整数であり及びｅは１〜７の整数であり、
ｄ＋ｅ＝１０の場合、ｄは２〜９の整数であり及びｅは１〜８の整数であり、
ｄ＋ｅ＝１１の場合、ｄは２〜１０の整数であり及びｅは１〜９の整数であり、
ｄ＋ｅ＝１２の場合、ｄは２〜１１の整数であり、ｅは１〜１０の整数であり、
ｄ＋ｅ＝１３の場合、ｄは２〜１２の整数であり及びｅは１〜１１の整数であり、
ｄ＋ｅ＝１４のとき、ｄは２〜１３の整数であり、ｅは１〜１２の整数である。
【０１４０】
上述の中鎖分岐界面活性剤化合物において、特定の分岐点（例えば、上記式中のＲ、Ｒ１及び／又はＲ２部分の鎖に沿った場所）が、界面活性剤の主鎖に沿った他の分岐点より好ましい。以下の式は、モノ−メチル分岐アルキルＡｂ部分に関して、中鎖分岐範囲（すなわち、分岐点が生じるところ）、好ましい中鎖分岐範囲、及びより好ましい中鎖分岐範囲を示す。
【０１４１】
【化４３】
0006262365.tif 000054
【０１４２】
モノ−メチル置換界面活性剤では、これらの範囲は、鎖の２つの末端炭素原子及び−Ｘ−Ｂ基に直接隣接した炭素原子を除外する。
【０１４３】
以下の式は、ジメチル置換直鎖アルキルＡｂ部分の中鎖分岐範囲、好ましい中鎖分岐範囲、及びより好ましい中鎖分岐範囲を示す。
【０１４４】
【化４４】
0006262365.tif 000055
【０１４５】
分枝状アニオン性界面活性剤は、分枝状変性アルキルベンゼンスルホネート（ＭＬＡＳ）を含んでよい。
【０１４６】
分岐状アニオン性界面活性剤は、疎水性鎖に沿ってランダムに配置されたメチル分岐を含む、Ｃ１２／１３のアルコール系界面活性剤、例えば、Ｓａｓｏｌから入手可能なＳａｆｏｌ（登録商標）、Ｍａｒｌｉｐａｌ（登録商標）を含んでよい。
【０１４７】
更なる好適な分岐状アニオン性洗浄性界面活性剤としては、イソプレノイド系多分岐状洗剤アルコールの界面活性剤誘導体が挙げられる。更に好適な分岐状アニオン性洗浄性界面活性剤としては、アンテイソ及びイソ−アルコールに由来するものが挙げられる。
【０１４８】
好適な分岐状アニオン性界面活性剤としては、ゲルベアルコール系界面活性剤も挙げられる。ゲルベアルコールは、分岐点が常に第２の炭素位置にある、２つの直鎖炭素鎖を有する、分岐一級単官能性アルコールである。ゲルベアルコールは、化学的には、２−アルキル−１−アルカノールと記載される。ゲルベアルコールは、概して、１２個の炭素原子〜３６個の炭素原子を有する。ゲルベアルコールは、式：（Ｒ１）（Ｒ２）ＣＨＣＨ２ＯＨにより表わすことができ、式中、Ｒ１は直鎖アルキル基であり、Ｒ２は直鎖アルキル基であり、Ｒ１とＲ２の炭素原子の合計数は１０〜３４であり、Ｒ１とＲ２の両方とも存在する。ゲルベアルコールは、ＳａｓｏｌからＩｓｏｆｏｌ（登録商標）アルコールとして、ＣｏｇｎｉｓからＧｕｅｒｂｅｔｏｌとして、市販されている。
【０１４９】
上記分枝状界面活性剤はそれぞれ、バイオ系の含有物を含んでもよい。分枝状界面活性剤は、少なくとも約５０％、少なくとも約６０％、少なくとも約７０％、少なくとも約８０％、少なくとも約９０％、少なくとも約９５％、少なくとも約９７％、又は約１００％のバイオ系の含有物を有してよい。
【０１５０】
アニオン性／非イオン性の組み合わせ
洗浄組成物は、アニオン性及び非イオン性界面活性剤の組み合わせを含んでよい。アニオン性界面活性剤対非イオン性界面活性剤の重量比は、少なくとも約２：１であってよい。アニオン性界面活性剤対非イオン性界面活性剤の重量比は、少なくとも約５：１であってよい。アニオン性界面活性剤対非イオン性界面活性剤の重量比は、少なくとも約１０：１であってよい。
【０１５１】
界面活性剤の組み合わせ
洗浄組成物は、アニオン性界面活性剤と、非イオン性界面活性剤、例えば、Ｃ１２〜Ｃ１８アルキルエトキシレートと、を含んでよい。洗浄組成物は、Ｃ１０〜Ｃ１５アルキルベンゼンスルホネート（ＬＡＳ）と、別のアニオン性界面活性剤、例えば、Ｃ１０〜Ｃ１８アルキルアルコキシサルフェート（ＡＥｘＳ）であって、式中ｘが１〜３０であるものと、を含んでよい。洗浄組成物は、アニオン性界面活性剤と、カチオン性界面活性剤、例えば、ジメチルヒドロキシエチルラウリルアンモニウムクロリドと、を含んでよい。洗浄組成物は、アニオン性界面活性剤と、双性イオン性界面活性剤、例えば、Ｃ１２〜Ｃ１４ジメチルアミンオキシドと、を含んでよい。
【０１５２】
補助的添加剤
本発明の洗浄組成物はまた、補助的添加剤を含有してもよい。好適な補助的添加剤としては、ビルダー、界面活性剤又は増粘剤、泥汚れ除去／再付着防止剤、高分子汚れ遊離剤、高分子分散剤、高分子グリースクリーニング剤、酵素、酵素安定化系、漂白化合物、漂白剤、漂白活性剤、漂白触媒、増白剤、染料、布地色相剤、移染防止剤、キレート剤、抑泡剤、布地柔軟剤、及び香料、が挙げられる。
【０１５３】
酵素
本明細書の洗剤組成物は、洗浄性能及び／又は布地ケア効果をもたらす１つ以上の酵素を含んでよい。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクテートリアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられるが、これらに限らない。典型的な組み合わせは、例えば、プロテアーゼ及びリパーゼをアミラーゼとともに含んでよい酵素カクテルである。洗剤組成物中に存在する場合、前述の追加の酵素は、洗剤組成物の約０．００００１重量％〜約２重量％、約０．０００１重量％〜約１重量％、又は更には約０．００１重量％〜約０．５重量％の酵素タンパク質の濃度で存在してよい。
【０１５４】
酵素はプロテアーゼであってよい。好適なプロテアーゼとしては、メタロプロテアーゼ及びサブチリシン（ＥＣ  ３．４．２１．６２）などの、中性又はアルカリ性微生物セリンプロテアーゼを含む、セリンプロテアーゼが挙げられる。好適なプロテアーゼとしては、動物、植物又は微生物由来のものが挙げられる。好適なプロテアーゼは、微生物由来のものであってよい。好適なプロテアーゼとしては、前述の好適なプロテアーゼの化学的又は遺伝的に改変された突然変異体が挙げられる。好適なプロテアーゼは、アルカリ性微生物プロテアーゼ又は／及びトリプシン型プロテアーゼなどのセリンプロテアーゼであってよい。好適な中性又はアルカリ性プロテアーゼの例としては、以下のものが挙げられる。
（ａ）サブチリシン（ＥＣ  ３．４．２１．６２）（Ｂａｃｉｌｌｕｓ  ｌｅｎｔｕｓ、Ｂ．ａｌｋａｌｏｐｈｉｌｕｓ、Ｂ．ｓｕｂｔｉｌｉｓ、Ｂ．ａｍｙｌｏｌｉｑｕｅｆａｃｉｅｎｓ、Ｂａｃｉｌｌｕｓ  ｐｕｍｉｌｕｓ及びＢａｃｉｌｌｕｓ  ｇｉｂｓｏｎｉｉなどのバチルスから誘導されたものを含む）。
（ｂ）フサリウムプロテアーゼ、及びＣｅｌｌｕｍｏｎａｓに由来するキモトリプシンプロテアーゼを含む（例えば、ブタ起源又はウシ起源の）トリプシンなどのトリプシン型又はキモトリプシン型プロテアーゼ。
（ｃ）バチルス・アミロリケファシエンスに由来するものを含むメタロプロテアーゼ。
【０１５５】
好ましいプロテアーゼとしては、Ｂａｃｉｌｌｕｓ  ｇｉｂｓｏｎｉｉ又はＢａｃｉｌｌｕｓ  ｌｅｎｔｕｓ由来のものが挙げられる。
【０１５６】
好適な市販のプロテアーゼ酵素としては、Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）、及びＥｓｐｅｒａｓｅ（登録商標）という商品名でＮｏｖｏｚｙｍｅｓ  Ａ／Ｓ（Ｄｅｎｍａｒｋ）から販売されているもの、Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）、及びＰｕｒａｆｅｃｔ  ＯＸＰ（登録商標）という商品名でＧｅｎｅｎｃｏｒ  Ｉｎｔｅｒｎａｔｉｏｎａｌから販売されているもの、Ｏｐｔｉｃｌｅａｎ（登録商標）及びＯｐｔｉｍａｓｅ（登録商標）という商品名でＳｏｌｖａｙ  Ｅｎｚｙｍｅｓから販売されているもの、Ｈｅｎｋｅｌ／Ｋｅｍｉｒａから入手可能なもの、すなわちＢＬＡＰ（Ｓ９９Ｄ＋Ｓ１０１  Ｒ＋Ｓ１０３Ａ＋Ｖ１０４Ｉ＋Ｇ１５９Ｓという変異を有する配列。以下ＢＬＡＰと称する）、ＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）、及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）（いずれもＨｅｎｋｅｌ／Ｋｅｍｉｒａ製）、並びにＫａｏ製のＫＡＰ（Ａ２３０Ｖ＋Ｓ２５６Ｇ＋Ｓ２５９Ｎという変異を有するＢａｃｉｌｌｕｓ  ａｌｋａｌｏｐｈｉｌｕｓ  ｓｕｂｔｉｌｉｓｉｎ）が挙げられる。
【０１５７】
好適なα−アミラーゼとしては、細菌又は真菌由来のものが挙げられる。化学的に又は遺伝的に修飾された突然変異体（変異体）が含まれる。好ましいアルカリ性α−アミラーゼは、バチルスの菌種から、例えば、Ｂａｃｉｌｌｕｓ  ｌｉｃｈｅｎｉｆｏｒｍｉｓ、Ｂａｃｉｌｌｕｓ  ａｍｙｌｏｌｉｑｕｅｆａｃｉｅｎｓ、Ｂａｃｉｌｌｕｓ  ｓｔｅａｒｏｔｈｅｒｍｏｐｈｉｌｕｓ、Ｂａｃｉｌｌｕｓ  ｓｕｂｔｉｌｉｓ、又は他のバチラス種、例えばバチルス種、ＮＣＩＢ  １２２８９、ＮＣＩＢ  １２５１２、ＮＣＩＢ  １２５１３、ＤＳＭ  ９３７５、ＤＳＭ  １２３６８、ＤＳＭＺ  ｎｏ．１２６４９、ＫＳＭ  ＡＰ１３７８、ＫＳＭ  Ｋ３６、若しくはＫＳＭ  Ｋ３８などの、バチルスの菌株に由来する。好ましいアミラーゼとしては、以下のものが挙げられる。
（ａ）国際公開第９４／０２５９７号、同第９４／１８３１４号、同第９６／２３８７４号、及び同第９７／４３４２４号に記載の変異体、特に国際公開第９６／２３８７４号で配列番号２として記載の酵素に対して、位置：１５、２３、１０５、１０６、１２４、１２８、１３３、１５４、１５６、１８１、１８８、１９０、１９７、２０２、２０８、２０９、２４３、２６４、３０４、３０５、３９１、４０８及び４４４のうちの１つ以上が置換された変異体。
（ｂ）米国特許第５，８５６，１６４号及び国際公開第９９／２３２１１号、同第９６／２３８７３号、同第００／６００６０号、及び同第０６／００２６４３号に記載の変異体、特に国際公開第０６／００２６４３号で配列番号１２として記載のＡＡ５６０酵素に対して、位置：
２６、３０、３３、８２、３７、１０６、１１８、１２８、１３３、１４９、１５０、１６０、１７８、１８２、１８６、１９３、２０３、２１４、２３１、２５６、２５７、２５８、２６９、２７０、２７２、２８３、２９５、２９６、２９８、２９９、３０３、３０４、３０５、３１１、３１４、３１５、３１８、３１９、３３９、３４５、３６１、３７８、３８３、４１９、４２１、４３７、４４１、４４４、４４５、４４６、４４７、４５０、４６１、４７１、４８２、４８４のうちの１つ以上が置換された変異体であって、好ましくはＤ１８３＊及びＧ１８４＊の欠損を含有する変異体。
（ｃ）国際公開第０６／００２６４３号における配列番号４、バチルス属ｓｐ７２２からの野生型酵素と少なくとも９０％の同一性を示す変異体、特に１８３及び１８４位置に欠損を有する変異体及び参照により本明細書中に組み込まれた国際公開第００／６００６０号に記載の変異体。
（ｄ）バチルス属７０７（米国特許第６，０９３，５６２号の配列番号７）からの野生型酵素と少なくとも９５％の同一性を示す変異体、特に変異Ｍ２０２、Ｍ２０８、Ｓ２５５、Ｒ１７２及び／又はＭ２６１を１つ以上含むもの。好ましくは前記アミラーゼは、Ｍ２０２Ｌ、Ｍ２０２Ｖ、Ｍ２０２Ｓ、Ｍ２０２Ｔ、Ｍ２０２Ｉ、Ｍ２０２Ｑ、Ｍ２０２Ｗ、Ｓ２５５Ｎ及び／又はＲ１７２Ｑのうちの１つ以上を含む。特に好ましいのは、Ｍ２０２Ｌ又はＭ２０２Ｔ突然変異体を含むものである。
（ｅ）国際公開第０９／１４９１３０号に記載の変異体、好ましくは国際公開第０９／１４９１３０号での配列番号１又は配列番号２と少なくとも９０％の同一性を呈する変異体、ゲオバチルス・ステアロファーモフィルスからの野生型酵素又はその短縮型変異体。
【０１５８】
好適な市販のα−アミラーゼとしては、ＤＵＲＡＭＹＬ（登録商標）、ＬＩＱＵＥＺＹＭＥ（登録商標）、ＴＥＲＭＡＭＹＬ（登録商標）、ＴＥＲＭＡＭＹＬ  ＵＬＴＲＡ（登録商標）、ＮＡＴＡＬＡＳＥ（登録商標）、ＳＵＰＲＡＭＹＬ（登録商標）、ＳＴＡＩＮＺＹＭＥ（登録商標）、ＳＴＡＩＮＺＹＭＥ  ＰＬＵＳ（登録商標）、ＦＵＮＧＡＭＹＬ（登録商標）及びＢＡＮ（登録商標）（Ｎｏｖｏｚｙｍｅｓ  Ａ／Ｓ（Ｂａｇｓｖａｅｒｄ，Ｄｅｎｍａｒｋ））、ＫＥＭＺＹＭ（登録商標）ＡＴ  ９０００（Ｂｉｏｚｙｍ  Ｂｉｏｔｅｃｈ  Ｔｒａｄｉｎｇ  ＧｍｂＨ（Ｗｅｈｌｉｓｔｒａｓｓｅ  ２７ｂ  Ａ−１２００，Ｗｉｅｎ，Ａｕｓｔｒｉａ））、ＲＡＰＩＤＡＳＥ（登録商標）、ＰＵＲＡＳＴＡＲ（登録商標）、ＥＮＺＹＳＩＺＥ（登録商標）、ＯＰＴＩＳＩＺＥ  ＨＴ  ＰＬＵＳ（登録商標）、ＰＯＷＥＲＡＳＥ（登録商標）及びＰＵＲＡＳＴＡＲ  ＯＸＡＭ（登録商標）（Ｇｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ））、並びにＫＡＭ（登録商標）（Ｋａｏ（１４−１０  Ｎｉｈｏｎｂａｓｈｉ  Ｋａｙａｂａｃｈｏ，１−ｃｈｏｍｅ，Ｃｈｕｏ−ｋｕ  Ｔｏｋｙｏ  １０３〜８２１０，Ｊａｐａｎ））が挙げられる。好適なアミラーゼとしては、ＮＡＴＡＬＡＳＥ（登録商標）、ＳＴＡＩＮＺＹＭＥ（登録商標）、及びＳＴＡＩＮＺＹＭＥ  ＰＬＵＳ（登録商標）、並びにこれらの混合物が挙げられる。
【０１５９】
かかる酵素は、「第１サイクルリパーゼ」を含むリパーゼからなる群から選択されてよい。リパーゼは、第１洗浄用リパーゼ、例えば、Ｔｈｅｒｍｏｍｙｃｅｓ  ｌａｎｕｇｉｎｏｓｕｓ由来の野生型リパーゼの変異体であって、Ｔ２３１Ｒ及びＮ２３３Ｒの変異のうちの１つ以上を含む変異体である。その野生型配列は、Ｓｗｉｓｓｐｒｏｔアクセッション番号Ｓｗｉｓｓ−Ｐｒｏｔ  Ｏ５９９５２（Ｔｈｅｒｍｏｍｙｃｅｓ  ｌａｎｕｇｉｎｏｓｕｓ（Ｈｕｍｉｃｏｌａ  ｌａｎｕｇｉｎｏｓａ）由来）の２６９個のアミノ酸（アミノ酸２３〜２９１）である。好ましいリパーゼとしては、商品名Ｌｉｐｅｘ（登録商標）及びＬｉｐｏｌｅｘ（登録商標）で販売されているものが挙げられる。
【０１６０】
他の好ましい酵素として、Ｂａｃｉｌｌｕｓ種のメンバーに対して内因性の細菌ポリペプチドを含め、エンド−β−１，４−グルカナーゼ活性（Ｅ．Ｃ．３．２．１．４）を示す微生物由来のエンドグルカナーゼであって、米国特許第７，１４１，４０３Ｂ２号の配列番号２のアミノ酸配列に対して少なくとも９０％、９４％、９７％、更には９９％同一な配列を有する）エンドグルカナーゼ、及びこれらの混合物が挙げられる。好適なエンドグルカナーゼは、商品名Ｃｅｌｌｕｃｌｅａｎ（登録商標）及びＷｈｉｔｅｚｙｍｅ（登録商標）（Ｎｏｖｏｚｙｍｅｓ  Ａ／Ｓ（Ｂａｇｓｖａｅｒｄ，Ｄｅｎｍａｒｋ））として販売されている。
【０１６１】
他の好ましい酵素としては、商品名Ｐｅｃｔａｗａｓｈ（登録商標）、Ｐｅｃｔａｗａｙ（登録商標）、Ｘｐｅｃｔ（登録商標）として販売されているペクテートリアーゼ及び商品名Ｍａｎｎａｗａｙ（登録商標）（全てＮｏｖｏｚｙｍｅｓ  Ａ／Ｓ（Ｂａｇｓｖａｅｒｄ，Ｄｅｎｍａｒｋ）から）、及びＰｕｒａｂｒｉｔｅ（登録商標）（Ｇｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ））として販売されているマンナーゼが挙げられる。
【０１６２】
酵素安定化系
洗剤組成物は、所望により、組成物の約０．００１重量％〜約１０重量％、いくつかの例では約０．００５重量％〜約８重量％、及びその他の例では約０．０１重量％〜約６重量％の酵素安定化系を含んでよい。酵素安定化系は、洗浄性酵素と適合性の任意の安定化系であることができる。そのような系は、他の処方活性分によって本質的に提供されてもよく、又は洗剤に使用可能な酵素の処方者若しくは製造業者によって別個に添加されてもよい。そのような安定化系には、例えば、カルシウムイオン、ホウ酸、プロピレングリコール、短鎖カルボン酸、ボロン酸、塩素漂白剤掃去剤及びこれらの混合物が含まれ得、洗浄組成物のタイプ及び物理的形態に応じて異なる安定化問題に対処するように設計される。プロテアーゼを含む水性洗剤組成物の場合は、ボレート、４−ホルミルフェニルボロン酸、フェニルボロン酸及びこれらの誘導体を含むホウ素化合物などの可逆的プロテアーゼ阻害剤、又はカルシウムホルメート、ナトリウムホルメート及び１，２−プロパンジオールなどの化合物を添加して、安定性を更に改善してもよい。
【０１６３】
ビルダー
本発明の洗剤組成物は任意選択でビルダーを含んでもよい。ビルダー入り洗剤組成物は、典型的には、組成物の総重量に基づいて少なくとも約１重量％のビルダーを含む。液体洗剤組成物は、組成物の総重量の最大約１０重量％のビルダー、いくつかの例では最大約８重量％のビルダーを含んでよい。顆粒状洗剤組成物は、組成物の最大約３０重量％のビルダー、いくつかの例では最大約５重量％のビルダーを含んでよい。
【０１６４】
アルミノシリケート（例えば、ゼオライトＡ、ゼオライトＰ、及びゼオライトＭＡＰなどのゼオライトビルダー）及びシリケートから選択されるビルダーは、洗浄水の鉱物質硬度、特にカルシウム及び／又はマグネシウムの制御、表面からの微粒子汚れの除去を助ける。好適なビルダーは、ポリホスフェート（例えば、ナトリウムトリポリホスフェート）などのホスフェート、特にそれらのナトリウム塩と、カーボネート、バイカーボネート、セスキカーボネート、ナトリウムカーボネート又はセスキカーボネート以外のカーボネート鉱物と、有機モノ−、ジ−、トリ−、及びテトラカルボキシレート、特に、酸、ナトリウム、カリウム、又はアルカノールアンモニウム塩形態の水溶性の非界面活性剤カルボキシレート、並びに、オリゴマー又は水溶性の低分子量ポリマーカルボキシレート（脂肪族及び芳香族タイプを含む）と、フィチン酸とからなる群から選択してよい。これらは、例えばｐＨ緩衝化の目的のためのホウ酸塩によって、又は硫酸塩、特に硫酸ナトリウム及び安定した界面活性剤及び／又はビルダー含有洗剤組成物の量産に重要であり得る任意の他の充填剤又はキャリアによって補完され得る。更なる好適な洗剤ビルダーは、クエン酸、乳酸、脂肪酸、ポリカルボキシレートビルダー、例えばアクリル酸のコポリマー、アクリル酸及びマレイン酸のコポリマー、並びにアクリル酸及び／又はマレイン酸、及び多様なタイプの追加の官能基を有するその他の好適なエチレン系モノマーのコポリマーから選択されるものでよい。また、本明細書のビルダーとしての使用に好適なものは、鎖構造を有し、一般の無水物形ｘ（Ｍ２Ｏ）・ｙＳｉＯ２・ｚＭ’Ｏに従って表される組成を有する、合成された結晶性イオン交換材料又はその水和物であり、式中ＭはＮａ及び／又はＫであり、Ｍ’はＣａ及び／又はＭｇであり、ｙ／ｘは０．５〜２．０であり、ｚ／ｘは０．００５〜１．０であり、米国特許第５，４２７，７１１号で教示されるようなものである。
【０１６５】
あるいは、組成物はビルダーを実質的に含まなくてよい。
【０１６６】
構造剤／増粘剤
ｉ．ジベンジリデンポリオールアセタール誘導体
流体洗剤組成物は、約０．０１重量％〜約１重量％、又は約０．０５％〜約０．８％、又は約０．１％〜約０．６％、又は更に約０．３％〜約０．５％のジベンジリデンポリオールアセタール誘導体（ＤＢＰＡ）を含んでよい。ＤＢＰＡ誘導体は、ジベンジリデンソルビトールアセタール誘導体（ＤＢＳ）を含んでよい。前記ＤＢＳ誘導体は、１，３：２，４−ジベンジリデンソルビトール、１，３：２，４−ジ（ｐ−メチルベンジリデン）ソルビトール、１，３：２，４−ジ（ｐ−クロロベンジリデン）ソルビトール、１，３：２，４−ジ（２，４−ジメチルジベンジリデン）ソルビトール、１，３：２，４−ジ（ｐ−エチルベンジリデン）ソルビトール、及び１，３：２，４−ジ（３，４−ジメチルジベンジリデン）ソルビトール、又はこれらの混合物からなる群から選択してよい。
【０１６７】
ｉｉ．細菌セルロース
また、流体洗剤組成物は、約０．００５重量％〜約１重量％の細菌セルロース網状構造物を含んでよい。用語「細菌セルロース」は、ＣＰＫｅｌｃｏ  Ｕ．Ｓ．によるＣＥＬＬＵＬＯＮ（登録商標）などのアセトバクター（Acetobacter）属の細菌の発酵を介して生成される任意の種類のセルロースを含み、ミクロフィブリル化セルロース、網状細菌セルロースなどと一般に称される材料を含む。繊維は、１．６ｎｍ〜３．２ｎｍ×５．８ｎｍ〜１３３ｎｍの断面寸法を有してよい。更に、細菌セルロース繊維の平均ミクロ繊維長は、少なくとも約１００ｎｍ、又は約１００〜約１，５００ｎｍである。細菌セルロースミクロ繊維は、約１００：１〜約４００：１、又は更には約２００：１〜約３００：１のアスペクト比、すなわち、平均ミクロ繊維の長さをミクロ繊維の最大断面幅で除したものを有してよい。
【０１６８】
ｉｉｉ．被覆された細菌セルロース
細菌セルロースは、高分子増粘剤で少なくとも部分的に被覆されていてよい。少なくとも部分的に被服された細菌セルロースは、約０．１重量％〜約５重量％、又は更には約０．５重量％〜約３重量％の細菌セルロースと、約１０重量％〜約９０重量％の高分子増粘剤とを含んでよい。好適な細菌セルロースとしては、上記細菌セルロースを挙げることができ、好適な高分子増粘剤としては、カルボキシメチルセルロース、カチオン性ヒドロキシメチルセルロース、及びこれらの混合物が挙げられる。
【０１６９】
ｉｖ．非細菌セルロース由来のセルロース繊維
組成物は、組成物の約０．０１〜約５重量％のセルロース繊維を更に含んでよい。かかるセルロース繊維は野菜、果物又は木材から抽出されてもよい。市販の例は、ＦＭＣからのＡｖｉｃｅｌ（登録商標）、ＦｉｂｅｒｓｔａｒからのＣｉｔｒｉ−Ｆｉ又はＣｏｓｕｎからのＢｅｔａｆｉｂである。
【０１７０】
ｖ．非高分子結晶質ヒドロキシル官能性材料
組成物は、組成物の約０．０１〜約１重量％の非高分子結晶質ヒドロキシル官能性構造化剤を更に含んでよい。かかる非高分子結晶質ヒドロキシル官能性構造化剤は、一般的に、最終流体洗剤組成物への分散を補助するために予め乳化が可能な結晶化可能なグリセリドを含んでよい。結晶化可能なグリセリドとしては、液体洗剤組成物において結晶化させることができる限り、硬化ヒマシ油又は「ＨＣＯ」又はその誘導体を挙げてよい。
【０１７１】
ｖｉ．高分子構造剤
本発明の流体洗剤組成物は、約０．０１重量％〜約５重量％の天然由来及び／又は合成の高分子構造剤を含んでよい。本発明で使用する天然由来のポリマー構造化剤の例としては、ヒドロキシエチルセルロース、疎水変性ヒドロキシエチルセルロース、カルボキシメチルセルロース、多糖誘導体、及びこれらの混合物が挙げられる。好適な多糖誘導体としては、ペクチン、アルギネート、アラビノガラクタン（アラビアゴム）、カラギーナン、ジェランガム、キサンタンガム、グアーガム、及びこれらの混合物が挙げられる。本発明で用いる合成ポリマー構造化剤の例としては、ポリカルボキシレート、ポリアクリレート、疎水性変性エトキシル化ウレタン、疎水性変性非イオン性ポリオール、及びこれらの混合物が挙げられる。ポリカルボキシレートポリマーは、ポリアクリレート、ポリメタクリレート、又はこれらの混合物であってよい。ポリアクリレートは、不飽和モノ−又はジ−炭酸と、（メタ）アクリル酸のＣ１〜Ｃ３０アルキルエステルとのコポリマーを含んでよい。かかるコポリマーは、商標名Ｃａｒｂｏｐｏｌ  Ａｑｕａ  ３０としてＮｏｖｅｏｎ  Ｉｎｃから入手可能である。
【０１７２】
ｖｉｉ．ジアミドゲル化剤
外部構造化系は、約１５０ｇ／モル〜約１，５００ｇ／モル、又は更には約５００ｇ／モル〜約９００ｇ／モルの分子量を有するジアミドゲル化剤を含んでよい。かかるジアミドゲル化剤は、少なくとも２個の窒素原子を含んでよく、前記窒素原子のうちの少なくとも２個は、アミド官能性置換基を形成する。アミド基は異なっていてよい。アミド官能基は同じであってよい。ジアミドゲル化剤は、以下の式を有し、
【０１７３】
【化４５】
0006262365.tif 000056
式中、
Ｒ１及びＲ２は、アミノ官能性末端基、又は更にはアミド官能性末端基であり、又はＲ１及びＲ２は、ｐＨ調整可能基を含んでよく、ｐＨ調整可能なアミドゲル化剤は、約１〜約３０、又は更には約２〜約１０のｐＫａを有し得る。ｐＨ調整可能基は、ピリジンを含んでよい。Ｒ１及びＲ２は異なっていてよい。Ｒ１及びＲ２は同じであってよい。
【０１７４】
Ｌは、１４〜５００ｇ／モルの分子量の連結部分である。Ｌは、２〜２０個の炭素原子を含む炭素鎖を含んでよい。Ｌは、ｐＨ調整可能基を含んでよい。ｐＨ調整可能基は、第２級アミンであってよい。
【０１７５】
Ｒ１、Ｒ２又はＬのうち少なくとも１つは、ｐＨ調整可能基を含んでよい。
【０１７６】
ジアミドゲル化剤の非限定的な例は、次の通りである。
Ｎ，Ｎ’−（２Ｓ，２’Ｓ）−１，１’−（ドデカン−１，１２−ジイルビス（アザンジイル））ビス（３−メチル−１−オキソブタン−２，１−ジイル）ジイソニコチンアミド
【０１７７】
【化４６】
0006262365.tif 000057
ジベンジル（２Ｓ，２’Ｓ）−１，１’−（プロパン−１，３−ジイルビス（アザンジイル））ビス（３−メチル−１−オキソブタン−２，１−ジイル）ジカルバメート
【０１７８】
【化４７】
0006262365.tif 000058
ジベンジル（２Ｓ，２’Ｓ）−１，１’−（ドデカン−１，１２−ジイルビス（アザンジイル））ビス（１−オキソ−３−フェニルプロパン−２，１−ジイル）ジカルバメート
【０１７９】
【化４８】
0006262365.tif 000059
【０１８０】
ポリマー分散剤
洗剤組成物は１つ以上のポリマー分散剤を含んでもよい。例は、カルボキシメチルセルロース、ポリ（ビニル−ピロリドン）、ポリ（エチレングリコール）、ポリ（ビニルアルコール）、ポリ（ビニルピリジン−Ｎ−オキシド）、ポリ（ビニルイミダゾール）、ポリアクリル酸塩などのポリカルボン酸塩、マレイン酸／アクリル酸コポリマー、及びメタクリル酸ラウリル／アクリル酸コポリマーである。
【０１８１】
洗剤組成物は、ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）（式中、ｎは２０〜３０であり、ｘは３〜８である）の一般構造を有する化合物、又はその硫酸化若しくはスルホン化種などの、１つ以上の両親媒性洗浄ポリマーを含んでもよい。
【０１８２】
洗剤組成物は、布地及び表面からグリース粒子を除去するように、親水性と疎水性が釣り合っている両親媒性アルコキシル化グリース洗浄ポリマーを含んでよい。両親媒性アルコキシル化グリース洗浄ポリマーは、コア構造及びコア構造に結合した複数のアルコキシレート基を含む。これらは、好ましくは内側ポリエチレンオキシドブロック及び外側ポリプロピレンオキシドブロックを有するアルコキシル化ポリアルキレンイミンを含んでもよい。このような材料としては、エトキシル化ポリエチレンイミン、エトキシル化ヘキサメチレンジアミン、及びこれらをスルフェート化したものが挙げられるがこれに限定されない。ポリプロポキシル化誘導体も包含させることができる。広範かつ様々なアミン及びポリアルキレンイミン（polyalklyeneimines）を様々な程度にアルコキシル化することができる。有用な例は、ＮＨ当たり２０個のＥＯ基までエトキシル化した６００ｇ／モルのポリエチレンイミンコアであり、ＢＡＳＦから入手可能である。本明細書で記述される洗剤組成物は、洗剤組成物の約０．１重量％〜約１０重量％、いくつかの例では約０．１重量％〜約８重量％、及びその他の例では約０．１重量％〜約６重量％のアルコキシ化ポリアミンを含んでよい。
【０１８３】
カルボキシレートポリマー−本発明の洗剤組成物は、任意にスルホン化されてよい、１つ以上のカルボキシレートポリマーも含んでよい。好適なカルボキシレートポリマーとして、マレアート／アクリレートランダムコポリマー又はポリ（メタ）アクリレートホモポリマーが挙げられる。カルボキシレートポリマーは、４，０００Ｄａ〜９，０００Ｄａ、又は６，０００Ｄａ〜９，０００Ｄａの分子量を有する、ポリ（メタ）アクリレートホモポリマーであってよい。
【０１８４】
また、アルコキシル化ポリカルボキシレートを本明細書の洗剤組成物中で使用し、グリース除去をもたらしてもよい。かかる材料は、国際公開第９１／０８２８１号及び同第９０／０１８１５号に記載されている。化学的に、これらの材料は、７〜８個の（メタ）アクリレート単位ごとに１つのエトキシ側鎖を有するポリ（メタ）アクリレートを含む。側鎖は、式−（ＣＨ２ＣＨ２Ｏ）ｍ（ＣＨ２）ｎＣＨ３を有し、式中、ｍは、２〜３であり、ｎは、６〜１２である。側鎖がポリアクリレート「主鎖」にエステル結合されると、「櫛形」ポリマータイプの構造が提供される。分子量は通常は約２０００〜約５０，０００の範囲内で様々であることができる。本明細書中で記述される洗剤組成物は、洗剤組成物の約０．１重量％〜約１０重量％、いくつかの例では約０．２５重量％〜約５重量％、及びその他の例では約０．３重量％〜約２重量％のアルコキシル化ポリカルボキシレートを含んでもよい。
【０１８５】
洗剤組成物は、両親媒性グラフトコポリマーを含んでよい。好適な両親媒性グラフトコポリマーは、（ｉ）ポリエチレングリコール主鎖と、（ｉｉ）ポリビニルアセテート、ポリビニルアルコール、及びこれらの混合物から選択される少なくとも１つのペンダント部分と、を含む。好適な両親媒性グラフトコポリマーは、ＢＡＳＦから供給されるＳｏｋａｌａｎ（登録商標）ＨＰ２２である。好適なポリマーとしては、ランダムグラフトコポリマー、好ましくは、ポリエチレンオキシド主鎖と複数のポリビニルアセテート側鎖とを有するポリビニルアセテートグラフト化ポリエチレンオキシドコポリマーが挙げられる。ポリエチレンオキシド主鎖の分子量は典型的には約６０００であり、ポリエチレンオキシドとポリ酢酸ビニルの重量比は約４０対６０であり、グラフト点は５０エチレンオキシド単位あたり１以下である。
【０１８６】
汚れ遊離ポリマー
本発明の洗剤組成物はまた、以下の構造（Ｉ）、（ＩＩ）又は（ＩＩＩ）の１つにより定義される構造を有する１つ以上の汚れ放出ポリマーを含んでもよい。
（Ｉ）−［（ＯＣＨＲ１−ＣＨＲ２）ａ−Ｏ−ＯＣ−Ａｒ−ＣＯ−］ｄ
（ＩＩ）−［（ＯＣＨＲ３−ＣＨＲ４）ｂ−Ｏ−ＯＣ−ｓＡｒ−ＣＯ−］ｅ
（ＩＩＩ）−［（ＯＣＨＲ５−ＣＨＲ６）ｃ−ＯＲ７］ｆ
式中、
ａ、ｂ、及びｃは、１〜２００であり、
ｄ、ｅ、及びｆは、１〜５０であり、
Ａｒは、１，４−置換フェニレンであり、
ｓＡｒは、５位がＳＯ３Ｍｅにより置換されている１，３−置換フェニレンであり、
Ｍｅは、Ｌｉ、Ｋ、Ｍｇ／２、Ｃａ／２、Ａｌ／３、アンモニウム、モノ−、ジ−、トリ−若しくはテトラ−アルキルアンモニウム（アルキル基は、Ｃ１〜Ｃ１８アルキル又はＣ２〜Ｃ１０ヒドロキシアルキルである）、又はこれらの混合物であり、
Ｒ１、Ｒ２、Ｒ３、Ｒ４、Ｒ５及びＲ６は、独立して、Ｈ又はＣ１〜Ｃ１８ｎ−若しくはイソ−アルキルであり、
Ｒ７は、直鎖若しくは分枝鎖Ｃ１〜Ｃ１８アルキル、又は直鎖若しくは分枝鎖Ｃ２〜Ｃ３０アルケニル、又は炭素原子を５〜９個有するシクロアルキル基、又はＣ８〜Ｃ３０アリール基、又はＣ６〜Ｃ３０アリールアルキル基である。
【０１８７】
好適な汚れ放出ポリマーは、Ｒｅｐｅｌ−ｏ−ｔｅｘポリマー（例えば、Ｒｈｏｄｉａにより供給されているＲｅｐｅｌ−ｏ−ｔｅｘ  ＳＦ、ＳＦ−２及びＳＲＰ６）などのポリエステル汚れ放出ポリマーである。他の好適な汚れ放出ポリマーとしては、Ｔｅｘｃａｒｅポリマー（例えば、Ｃｌａｒｉａｎｔにより供給されているＴｅｘｃａｒｅ  ＳＲＡ１００、ＳＲＡ３００、ＳＲＮ１００、ＳＲＮ１７０、ＳＲＮ２４０、ＳＲＮ３００及びＳＲＮ３２５など）が挙げられる。他の好適な汚れ放出ポリマーは、Ｍａｒｌｏｑｕｅｓｔポリマー（例えば、Ｓａｓｏｌにより供給されているＭａｒｌｏｑｕｅｓｔ  ＳＬなど）である。
【０１８８】
セルロース系ポリマー
本発明の洗浄組成物はまた、アルキルセルロース、アルキルアルコキシルセルロース、カルボキシアルキルセルロース、アルキルカルボキシアルキルセルロースから選択されるものなどのセルロース系ポリマーを１つ以上含んでもよい。セルロース系ポリマーは、カルボキシメチルセルロース、メチルセルロース、メチルヒドロキシエチルセルロース、メチルカルボキシメチルセルロース、及びこれらの混合物を含む群から選択されてよい。カルボキシメチルセルロースは、０．５〜０．９のカルボキシメチル置換度、及び１００，０００Ｄａ〜３００，０００Ｄａの分子量を有してよい。
【０１８９】
ポリマー分散剤の例は、米国特許第３，３０８，０６７号、欧州特許出願第６６９１５号、同第１９３，３６０号、及び第１９３，３６０号に見出される。
【０１９０】
追加のアミン
汚れた材料から油脂及び微粒子を更に除去するために、追加のアミンが本明細書で記載される洗浄組成物において使用されてもよい。本明細書で記載される洗剤組成物には、洗剤組成物の約０．１重量％〜約１０重量％、いくつかの例では約０．１重量％〜約４重量％、及び他の例では約０．１重量％〜約２重量％の追加のアミンを含んでよい。追加のアミンの非限定例としては、ポリエーテルアミン、ポリアミン、オリゴアミン、トリアミン、ジアミン、ペンタミン、テトラアミン、又はこれらの組み合わせが挙げてよいが、これらに限定されない。好適な追加のアミンの具体的な例としては、テトラエチレンペンタミン、トリエチレンテトラミン、ジエチレントリアミン又はこれらの混合物が挙げられる。
【０１９１】
漂白剤−本発明の洗剤組成物は、１つ以上の漂白剤を含んでよい。漂白触媒以外の適切な漂白剤としては、光漂白剤、漂白活性化剤、過酸化水素、過酸化水素源、予形成過酸、及びこれらの混合物が挙げられる。一般的に、漂白剤を用いる場合、本発明の洗剤組成物は、洗剤組成物の約０．１重量％〜約５０重量％、又は更には約０．１重量％〜約２５重量％の漂白剤を含んでもよい。好適な漂白剤の例として、光漂白剤、予形成過酸、過酸化水素源、Ｒ−（Ｃ＝Ｏ）−Ｌを有する漂白活性化剤（式中、Ｒはアルキル基であり、所望により分枝状であり、漂白活性化剤が疎水性である場合、６〜１４個の炭素原子、又は８〜１２個の炭素原子を有し、漂白活性化剤が親水性である場合、６個未満の炭素原子、又は更には４個未満の炭素原子を有し、Ｌは脱離基である）が挙げられる。好適な漂白活性化剤類としては、ドデカノイルオキシベンゼンスルホネート、デカノイルオキシベンゼンスルホネート、デカノイルオキシ安息香酸又はその塩類、３，５，５−トリメチルヘキサノイルオキシベンゼンスルホネート、テトラアセチルエチレンジアミン（ＴＡＥＤ）及びノナノイルオキシベンゼンスルホネート（ＮＯＢＳ）が挙げられる。
【０１９２】
漂白触媒−本発明の洗剤組成物はまた、ペルオキシ酸及び／又はその塩から酸素原子を受け取り、その酸素原子を酸化可能な基質に移送することができる１つ以上の漂白触媒を含んでもよい。好適な漂白触媒として、イミニウムカチオン及びポリイオン、イミニウム双性イオン、変性アミン、変性アミンオキシド、Ｎ−スルホニルイミン、Ｎ−ホスホニルイミン、Ｎ−アシルイミン、チアジアゾールジオキシド、ペルフルオロイミン、環状糖ケトン、並びにこれらの混合物が挙げられるが、これらに限定されない。
【０１９３】
増白剤
蛍光増白剤又はその他の増白剤又は白化剤を、組成物の約０．０１重量％〜約１．２重量％の濃度で本明細書に記載の洗剤組成物の中に組み込んでもよい。本発明に好適な市販の蛍光増白剤は、サブグループに分類することができ、スチルベン、ピラゾリン、クマリン、ベンゾキサゾール、カルボン酸、メチンシアニン、ジベンゾチオフェン−５，５−ジオキシド、アゾール、５及び６員環の複素環、並びにその他の様々な物質の誘導体が挙げられるが、これらに限らない。かかる増白剤の例は、「Ｔｈｅ  Ｐｒｏｄｕｃｔｉｏｎ  ａｎｄ  Ａｐｐｌｉｃａｔｉｏｎ  ｏｆ  Ｆｌｕｏｒｅｓｃｅｎｔ  Ｂｒｉｇｈｔｅｎｉｎｇ  Ａｇｅｎｔｓ」（Ｍ．Ｚａｈｒａｄｎｉｋ、Ｊｏｈｎ  Ｗｉｌｅｙ  ＆  Ｓｏｎｓ発行、（Ｎｅｗ  Ｙｏｒｋ）（１９８２））に開示されている。本発明の組成物に有用な蛍光増白剤の具体的な非限定例は、米国特許第４，７９０，８５６号、同第３，６４６，０１５号、同第７８６３２３６号、及び同内容のＣＮ  １７６４７１４号に特定されているものである。
【０１９４】
いくつかの例では、本明細書の蛍光増白剤は、式（１）の化合物を含み、
【０１９５】
【化４９】
0006262365.tif 000060
式中、Ｘ１、Ｘ２、Ｘ３、及びＸ４は、−Ｎ（Ｒ１）Ｒ２であり、このとき、Ｒ１及びＲ２は、水素、フェニル、ヒドロキシエチル、若しくは非置換若しくは置換Ｃ１〜Ｃ８アルキルから独立して選択され、又は、−Ｎ（Ｒ１）Ｒ２は複素環を形成し、好ましくはＲ１及びＲ２は、水素若しくはフェニルから独立して選択され、又は、−Ｎ（Ｒ１）Ｒ２は非置換又は置換モルホリン環を形成し；Ｍは水素又はカチオンであり、好ましくはＭはナトリウム又はカリウムであり、より好ましくはＭはナトリウムである。
【０１９６】
一部の例では、蛍光増白剤は、ジナトリウム４，４’−ビス｛［４−アニリノ−６−モルホリノ−ｓ−トリアジン−２−イル］−アミノ｝−２，２’−スチルベンジスルホネート（増白剤１５、商品名Ｔｉｎｏｐａｌ  ＡＭＳ−ＧＸとしてＣｉｂａ  Ｇｅｉｇｙ  Ｃｏｒｐｏｒａｔｉｏｎにより市販），ジナトリウム４，４’−ビス｛［４−アニリノ−６−（Ｎ−２−ビス−ヒドロキシエチル）−ｓ−トリアジン−２−イル］−アミノ｝−２，２’−スチルベンジスルホネート（商品名Ｔｉｎｏｐａｌ  ＵＮＰＡ−ＧＸとしてＣｉｂａ−Ｇｅｉｇｙ  Ｃｏｒｐｏｒａｔｉｏｎにより市販）、ジナトリウム４，４’−ビス｛［４−アニリノ−６−（Ｎ−２−ヒドロキシエチル−Ｎ−メチルアミノ）−ｓ−トリアジン−２−イル］−アミノ｝−２，２’−スチルベンジスルホネート（商品名Ｔｉｎｏｐａｌ  ５ＢＭ−ＧＸとしてＣｉｂａ−Ｇｅｉｇｙ  Ｃｏｒｐｏｒａｔｉｏｎにより市販）からなる群から選択される。より好ましくは、蛍光光学増白剤は、ジナトリウム４，４’−ビス｛［４−アニリノ−６−モルホリノ−ｓ−トリアジン−２−イル］−アミノ｝−２，２’−スチルベンジスルホネートである。
【０１９７】
増白剤は、粒子の形で又は好適な溶剤、例えば非イオン性界面活性剤、モノエタノールアミン、プロパンジオールとのプレミックスとして添加されてもよい。
【０１９８】
布地色相剤
組成物は、布地色調剤（色合い剤、青味剤、又は白化剤と称される場合もある）を含み得る。典型的には、色相剤は、青又は紫の色合いを布地に付与する。色相剤は、単独又は組み合わせで使用して、特定の色合いを作り出すことができ、及び／又は異なる種類の布地に色合いを付けることができる。これは、例えば赤と緑−青の染料とを混合して青又は紫の色合いを生じさせることにより提供され得る。色相剤は、アクリジン、アントラキノン（多環式キノンを含む）、アジン、含金アゾを含むアゾ（例えばモノアゾ、ジスアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物を含む（これらに限らない）いずれかの既知の化学種の染料から選択してよい。
【０１９９】
好適な布地色相剤としては、染料、染料−粘土複合体、並びに有機及び無機顔料が挙げられる。好適な染料としては、小分子染料及びポリマー染料が挙げられる。好適な小分子染料としては、例えば、ブルー、バイオレット、レッド、グリーン、又はブラックに分類されるとともに、単独で又は組み合わせた状態で所望の色合いを付与するダイレクト染料、ベーシック染料、リアクティブ染料若しくは加水分解したリアクティブ染料、ソルベント染料、又はディスパース染料のカラーインデックス（Ｃ．Ｉ．）分類に分類される染料からなる群から選択される小分子染料が挙げられる。好適な小分子染料としては、カラーインデックス（Ｓｏｃｉｅｔｙ  ｏｆ  Ｄｙｅｒｓ  ａｎｄ  Ｃｏｌｏｕｒｉｓｔｓ（Ｂｒａｄｆｏｒｄ，ＵＫ））番号：ダイレクトバイオレット染料（９、３５、４８、５１、６６、及び９９など）、ダイレクトブルー染料（１、７１、８０、及び２７９など）、アシッドレッド染料（１７、７３、５２、８８、及び１５０など）、アシッドバイオレット染料（１５、１７、２４、４３、４９、及び５０など）、アシッドブルー染料１５、１７、２５、２９、４０、４５、７５、８０、８３、９０、及び１１３など）、アシッドブラック染料（１など）、ベーシックバイオレット染料１、３、４、１０、及び３５など、ベーシックブルー染料（３、１６、２２、４７、６６、７５、及び１５９など）、分散又は溶剤染料、及びこれらの混合物からなる群から選択される小分子染料が挙げられる。好適な小分子染料としては、Ｃ．Ｉ．番号が、アシッドバイオレット１７、ダイレクトブルー７１、ダイレクトバイオレット５１、ダイレクトブルー１、アシッドレッド８８、アシッドレッド１５０、アシッドブルー２９、アシッドブルー１１３又はこれらの混合物からなる群から選択される小分子染料が挙げられる。
【０２００】
好適な高分子染料としては、共有結合（共役と呼ばれることもある）した色原体を含有するポリマー（染料−ポリマー複合体）、例えばポリマーと色原体とを共重合してポリマーの主鎖にしたもの、及びこれらの混合物からなる群から選択される、高分子染料が挙げられる。好適な高分子染料としては、Ｌｉｑｕｉｔｉｎｔ（登録商標）（Ｍｉｌｌｉｋｅｎ、Ｓｐａｒｔａｎｂｕｒｇ（Ｓｏｕｔｈ  Ｃａｒｏｌｉｎａ，ＵＳＡ））の名称で販売されている布地直接着色剤、並びに少なくとも１つの反応染料と、ヒドロキシル部分、第１級アミン部分、第２級アミン部分、チオール部分、及びこれらの混合物からなる群から選択される部分を含むポリマーからなる群から選択されるポリマーとから形成される染料−ポリマー複合体からなる群から選択される高分子染料が挙げられる。好適な高分子染料としては、Ｌｉｑｕｉｔｉｎｔ（登録商標）バイオレットＣＴ、Ｍｅｇａｚｙｍｅ（Ｗｉｃｋｌｏｗ，Ｉｒｅｌａｎｄ）から商品名ＡＺＯ−ＣＭ−セルロース、商品コードＳ−ＡＣＭＣで販売されているＣ．Ｉ．リアクティブブルー１９と共役しているＣＭＣなどのリアクティブブルー、リアクティブバイオレット、又はリアクティブレッドの染料に共有結合しているカルボキシメチルセルロース（ＣＭＣ）、アルコキシル化トリフェニール−メタン高分子着色料、アルコキシル化チオフェン高分子着色料、及びこれらの混合物からなる群から選択される高分子染料が挙げられる。
【０２０１】
好適な染料粘土複合体としては、少なくとも１つのカチオン性／塩基性染料及びスメクタイト粘土、並びにこれらの混合物を含む群から選択される染料粘土複合体が挙げられる。好適な染料粘土複合体として、Ｃ．Ｉ．ベーシックイエロー１〜１０８、Ｃ．Ｉ．ベーシックオレンジ１〜６９、Ｃ．Ｉ．ベーシックレッド１〜１１８、Ｃ．Ｉ．ベーシックバイオレット１〜５１、Ｃ．Ｉ．ベーシックブルー１〜１６４、Ｃ．Ｉ．ベーシックグリーン１〜１４、Ｃ．Ｉ．ベーシックブラウン１〜２３、ＣＩベーシックブラック１〜１１からなる群から選択された１つのカチオン性／塩基性染料と、モンモリロナイト粘土、ヘクトライト粘土、サポナイト粘土、及びこれらの混合物からなる群から選択される粘土と、からなる群から選択される、染料粘土複合体が挙げられる。好適な染料粘土複合体としては、モンモリロナイトベーシックブルーＢ７  Ｃ．Ｉ．４２５９５複合体、モンモリロナイトベーシックブルーＢ９  Ｃ．Ｉ．５２０１５複合体、モンモリロナイトベーシックバイオレットＶ３  Ｃ．Ｉ．４２５５５複合体、モンモリロナイトベーシックグリーンＧ１  Ｃ．Ｉ．４２０４０複合体、モンモリロナイトベーシックレッドＲ１  Ｃ．Ｉ．４５１６０複合体、モンモリロナイトＣ．Ｉ．ベーシックブラック２複合体、ヘクトライトベーシックブルーＢ７  Ｃ．Ｉ．４２５９５複合体、ヘクトライトベーシックブルーＢ９  Ｃ．Ｉ．５２０１５複合体、ヘクトライトベーシックバイオレットＶ３  Ｃ．Ｉ．４２５５５複合体、ヘクトライトベーシックグリーンＧ１  Ｃ．Ｉ．４２０４０複合体、ヘクトライトベーシックレッドＲ１  Ｃ．Ｉ．４５１６０複合体、ヘクトライトＣ．Ｉ．ベーシックブラック２複合体、サポナイトベーシックブルーＢ７  Ｃ．Ｉ．４２５９５複合体、サポナイトベーシックブルーＢ９  Ｃ．Ｉ．５２０１５複合体、サポナイトベーシックバイオレットＶ３  Ｃ．Ｉ．４２５５５複合体、サポナイトベーシックグリーンＧ１  Ｃ．Ｉ．４２０４０複合体、サポナイトベーシックレッドＲ１  Ｃ．Ｉ．４５１６０複合体、サポナイトＣ．Ｉ．ベーシックブラック２複合体、及びこれらの混合物からなる群から選択される染料粘土複合体が挙げられる。
【０２０２】
好適な顔料としては、フラバントロン、インダントロン、１〜４個の塩素原子を有する塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（イミド基は置換されていないか、あるいは、Ｃ１〜Ｃ３アルキル若しくはフェニル又は複素環式ラジカルで置換されていてもよく、このフェニル及び複素環式ラジカルは更に、水溶性を付与しない置換基を有していてもよい）、アントラピリミジンカルボン酸アミド、ビオラントロン、イソビオラントロン、ジオキサジン顔料、銅フタロシアニン（１分子当たり２個以下の塩素原子を有していてもよい）、ポリクロロ−銅フタロシアニン、又はポリブロモクロロ−銅フタロシアニン（１分子当たり１４個以下の臭素原子を有する）、及びこれらの混合物からなる群より選択される顔料が挙げられる。
【０２０３】
好適な顔料としては、ウルトラマリンブルー（Ｃ．Ｉ．ピグメントブルー２９）、ウルトラマリンバイオレット（Ｃ．Ｉ．ピグメントバイオレット１５）及びこれらの混合物からなる群から選択される顔料が挙げられる。
【０２０４】
上記の布地色相剤は、組み合わせて用いることができる（布地色相剤のいずれの混合物も用いることができる）。
【０２０５】
カプセル体
組成物は、カプセル体を含んでもよい。カプセル体は、コアと、内面及び外面を有するシェルと、を含んでよく、シェルは、コアを封入する。
【０２０６】
カプセル体はコアとシェルを含んでよく、コアは、香料、増白剤、染料、防虫剤、シリコーン、ワックス、着香剤、ビタミン、布地柔軟剤、スキンケア剤（例えばパラフィン）、酵素、抗菌剤、漂白剤、感覚刺激剤、又はこれらの混合物から選択される材料を含み、シェルは、ポリエチレン、ポリアミド、ポリビニルアルコール（任意に応じて他のコモノマーを含む）、ポリスチレン、ポリイソプレン、ポリカーボネート、ポリエステル、ポリアクリレート、ポリオレフィン、多糖（例えばアルギネート及び／又はキトサン）、ゼラチン、セラック、エポキシ樹脂、ビニルポリマー、水溶性無機物質、シリコーン、アミノプラスト、又はこれらの混合物から選択される材料を含む。シェルがアミノプラストを含むとき、アミノプラストは、ポリウレア、ポリポリウレタン、及び／又はポリウレアポリウレタンを含んでよい。ポリウレアはポリオキシメチレンウレア及び／又はメラミンホルムアルデヒドを含んでよい。
【０２０７】
カプセル体はコアを含んでよく、コアは香料を含んでよい。カプセル体はシェルを含んでよく、シェルは、メラミンホルムアルデヒド及び／又は架橋メラミンホルムアルデヒドを含んでよい。カプセル体は、香料を含むコアと、メラミンホルムアルデヒド及び／又は架橋メラミンホルムアルデヒドを含むシェルと、を含んでよい。
【０２０８】
好適なカプセル体はコア材料及びシェルを含み、シェルはコア材料を少なくとも部分的に取り囲む。カプセル体の少なくとも７５％、又は少なくとも８５％、又は更には少なくとも９０％は、破壊強度が約０．２ＭＰａ〜約１０ＭＰａ、約０．４ＭＰａ〜約５ＭＰａ、約０．６ＭＰａ〜約３．５ＭＰａ、又は更には約０．７ＭＰａ〜約３ＭＰａであってよく、有益材漏出率が０％〜約３０％、０％〜約２０％、又は更には０％〜約５％であってよい。
【０２０９】
前記カプセル体の少なくとも７５％、８５％、又は更には９０％は、約１マイクロメートル〜約８０マイクロメートル、約５マイクロメートル〜６０マイクロメートル、約１０マイクロメートル〜約５０マイクロメートル、又は更には約１５マイクロメートル〜約４０マイクロメートルの粒径を有してもよい。
【０２１０】
前記カプセル体の少なくとも７５％、８５％、又は更には９０％は、約３０ｎｍ〜約２５０ｎｍ、約８０ｎｍ〜約１８０ｎｍ、又は更には約１００ｎｍ〜約１６０ｎｍの粒子壁厚を有してもよい。
【０２１１】
カプセル体のコアは、香料原料から選択される材料、並びに／あるいは任意に応じて、植物油（ヒマシ油、ココナッツ油、綿実油、ブドウ油、菜嘆、大豆油、コーン油、パーム油、亜麻仁油、べに花油、オリーブ油、ピーナッツ油、ココナッツ油、パーム核油、ヒマシ油、レモン油、及びこれらの混合物を含む単一種及び／若しくは混合の植物油を含む）、植物油のエステル、エステル（ジブチルアジペート、ジブチルフタレート、ブチルベンジルアジペート、ベンジルオクチルアジペート、トリクレシルホスフェート、トリオクチルホスフェート、及びこれらの混合物を含む）、直鎖状若しくは分岐鎖状炭化水素（沸点が約８０℃超の直鎖状若しくは分岐鎖状炭化水素を含む）、部分水素化テルフェニル、ジアルキルフタレート、アルキルビフェニル（モノイソプロピルビフェニルを含む）、アルキル化ナフタレン（ジプロピルナフタレンを含む）、ペトロリウムスピリット（ケロシンを含む）、鉱油、若しくはこれらの混合物、芳香族溶媒（ベンゼン、トルエン、若しくはこれらの混合物を含む）、シリコーン油、又はこれらの混合物から選択される材料から選択される材料を含む。
【０２１２】
カプセル体の壁部は、アルデヒドとアミンとの反応生成物などの好適な樹脂を含んでよい。好適なアルデヒドとしてはホルムアルデヒドが挙げられる。好適なアミンとしてはメラミン、ウレア、ベンゾグアナミン、グリコウリル、又はこれらの混合物が挙げられる。好適なメラミンとしては、メチロールメラミン、メチル化メチロールメラミン、イミノメラミン及びこれらの混合物が挙げられる。好適なウレアとしては、ジメチロールウレア、メチル化ジメチロールウレア、ウレア−レゾルシノール、及びこれらの混合物が挙げられる。
【０２１３】
好適なホルムアルデヒドスカベンジャーは、カプセル体とともに、例えばカプセルスラリー中で用いても、及び／又は、カプセル体を本発明の組成物に加える前、加えている間、又は加えた後に、組成物に加えてもよい。
【０２１４】
好適なカプセルは、Ａｐｐｌｅｔｏｎ  Ｐａｐｅｒｓ  Ｉｎｃ．（Ａｐｐｌｅｔｏｎ，Ｗｉｓｃｏｎｓｉｎ，ＵＳＡ）から購入することができる。
【０２１５】
加えて、上記のカプセル体を作製するための材料は、Ｓｏｌｕｔｉａ  Ｉｎｃ．（Ｓｔ  Ｌｏｕｉｓ、Ｍｉｓｓｏｕｒｉ、Ｕ．Ｓ．Ａ．）、Ｃｙｔｅｃ  Ｉｎｄｕｓｔｒｉｅｓ（Ｗｅｓｔ  Ｐａｔｅｒｓｏｎ、Ｎｅｗ  Ｊｅｒｓｅｙ、Ｕ．Ｓ．Ａ．）、ｓｉｇｍａ−Ａｌｄｒｉｃｈ（Ｓｔ．Ｌｏｕｉｓ、Ｍｉｓｓｏｕｒｉ、Ｕ．Ｓ．Ａ．）、ＣＰ  Ｋｅｌｃｏ  Ｃｏｒｐ．（Ｓａｎ  Ｄｉｅｇｏ、Ｃａｌｉｆｏｒｎｉａ、ＵＳＡ）、ＢＡＳＦ  ＡＧ（Ｌｕｄｗｉｇｓｈａｆｅｎ、Ｇｅｒｍａｎｙ）、Ｒｈｏｄｉａ  Ｃｏｒｐ．（Ｃｒａｎｂｕｒｙ、Ｎｅｗ  Ｊｅｒｓｅｙ、ＵＳＡ）、Ｈｅｒｃｕｌｅｓ  Ｃｏｒｐ．（Ｗｉｌｍｉｎｇｔｏｎ、Ｄｅｌａｗａｒｅ、ＵＳＡ）、Ａｇｒｉｕｍ  Ｉｎｃ．（Ｃａｌｇａｒｙ、Ａｌｂｅｒｔａ、Ｃａｎａｄａ）、ＩＳＰ（Ｎｅｗ  Ｊｅｒｓｅｙ、Ｕ．Ｓ．Ａ．）、Ａｋｚｏ  Ｎｏｂｅｌ（Ｃｈｉｃａｇｏ、ＩＬ、ＵＳＡ）、Ｓｔｒｏｅｖｅｒ  Ｓｈｅｌｌａｃ  Ｂｒｅｍｅｎ（Ｂｒｅｍｅｎ、Ｇｅｒｍａｎｙ）、Ｄｏｗ  Ｃｈｅｍｉｃａｌ  Ｃｏｍｐａｎｙ（Ｍｉｄｌａｎｄ、ＭＩ、ＵＳＡ）、Ｂａｙｅｒ  ＡＧ（Ｌｅｖｅｒｋｕｓｅｎ、Ｇｅｒｍａｎｙ）、Ｓｉｇｍａ−Ａｌｄｒｉｃｈ  Ｃｏｒｐ．（Ｓｔ．Ｌｏｕｉｓ、Ｍｉｓｓｏｕｒｉ、ＵＳＡ）から得ることができる。
【０２１６】
香料
香料及び香料成分を、本明細書に記載する洗剤組成物中で使用してよい。香料及び香料成分の非限定例としては、アルデヒド、ケトン、エステルなどが挙げられるが、これらに限定されない。他の例としては様々な天然抽出物及び天然エキスが挙げられ、これらは、オレンジ油、レモン油、バラ抽出物、ラベンダー、ムスク、パチョリ、バルサムエキス、ビャクダン油、パイン油、シーダーなどの成分の複雑な混合物を含むことができる。最終香料は、そのような成分の非常に複雑な混合物を含むことができる。最終香料は、洗剤組成物の約０．０１重量％〜約２重量％の範囲の濃度で含まれてもよい。
【０２１７】
移染防止剤
布地洗剤組成物は、洗浄プロセス中に、一方の布地から別の布地に染料が移行するのを抑制するのに有効な１つ以上の物質も含んでよい。一般に、このような移染防止剤としては、ポリビニルピロリドンポリマー、ポリアミンＮ−オキシドポリマー、Ｎ−ビニルピロリドン及びＮ−ビニルイミダゾールのコポリマー、マンガンフタロシアニン、ペルオキシダーゼ、及びこれらの混合物が挙げられ得る。使用する場合、これらの剤は、組成物の約０．０００１％〜約１０重量％、一部の例では組成物の約０．０１％〜約５重量％、及び他の例では組成物の約０．０５％〜約２重量％の濃度で使用され得る。
【０２１８】
キレート化剤
本明細書に記載の洗浄組成物は、また、１つ以上の金属イオンのキレート剤を含有してもよい。好適な分子としては、銅、鉄、及び／又はマンガンキレート剤、並びにこれらの混合物が挙げられる。そのようなキレート剤は、ホスホネート、アミノカルボキシレート、アミノホスホネート、スクシネート、多官能置換された芳香族キレート剤、２−ピリジノール−Ｎ−オキシド化合物、ヒドロキサム酸、カルボキシメチルイヌリン及びこれらの混合物からなる群から選択することができる。キレート剤は、アルカリ金属、アンモニウム、及びその置換アンモニウム塩、及びこれらの混合物を含む、酸又は塩の形で存在することができる。
【０２１９】
本明細書での使用に好適なキレート剤は、市販のＤＥＱＵＥＳＴシリーズ、及びＭｏｎｓａｎｔｏ、Ａｋｚｏ−Ｎｏｂｅｌ、ＤｕＰｏｎｔ、Ｄｏｗからのキレート剤、ＢＡＳＦ及びＮａｌｃｏからのＴｒｉｌｏｎ（登録商標）シリーズである。
【０２２０】
キレート剤は、本開示の洗剤組成物の約０．００５重量％〜約１５重量％、約０．０１重量％〜約５重量％、約０．１重量％〜約３．０重量％、約０．２重量％〜約０．７重量％、又は約０．３重量％〜約０．６重量％本開示の洗剤組成物中に存在してよい。
【０２２１】
抑泡剤
本明細書に記載の洗剤組成物中に、泡の形成を低減又は抑制するための化合物を組み込むことができる。抑泡は、いわゆる「高濃度洗浄プロセス」、及び前面投入式洗濯機において特に重要であり得る。
【０２２２】
抑泡剤として広範な材料を使用してよく、抑泡剤は当業者には周知である。抑泡剤の例としては、モノカルボン脂肪酸及びその中の可溶性塩、パラフィンなどの高分子量炭化水素、脂肪酸エステル（例えば、脂肪酸トリグリセリド）、一価アルコールの脂肪酸エステル、脂肪族Ｃ１８〜Ｃ４０ケトン（例えばステアロン）、Ｎ−アルキル化アミノトリアジン、好ましくは融点が約１００℃未満であるワックス状炭化水素、シリコーン抑泡剤、並びに第２級アルコールが挙げられる。
【０２２３】
更なる好適な発泡防止剤は、フェニルプロピルメチル置換ポリシロキサンから誘導されたものである。
【０２２４】
特定の例では、洗剤組成物は、シリコーン樹脂及び変成シリカである一次充填剤と組み合わせたアリール又はアルキルアリール置換基を付けた有機変成シリコーンポリマーから選択される抑泡剤を含む。洗剤組成物は、組成物の約０．００１重量％〜約４．０重量％のかかる抑泡剤を含んでよい。更なる例では、洗剤組成物は、ａ）約８０〜約９２％のエチルメチル、メチル（２−フェニルプロピル）シロキサン；約５〜約１４％のオクチルステアレート中ＭＱ樹脂；及び、約３〜約７％の変性シリカの混合物；ｂ）約７８〜約９２％のエチルメチル、メチル（２−フェニルプロピル）シロキサン；約３〜約１０％のオクチルステアレート中ＭＱ樹脂；約４〜約１２％の変性シリカの混合物；又は、ｃ）それらの混合物から選択される抑泡剤を含み、このとき割合は消泡剤の重量によるものである。
【０２２５】
本明細書の洗剤組成物は、組成物の０．１重量％〜約１０重量％の抑泡剤を含んでよい。抑泡剤として使用される場合、モノカルボン脂肪酸及びその塩は、洗剤組成物の最大約５重量％、いくつかの例では、洗剤組成物の約０．５重量％〜約３重量％の量で存在してよい。シリコーン抑泡剤は、より多い量を使用することもできるが、洗剤組成物の最大約２．０重量％の量で使用されてもよい。モノステアリルホスフェート抑泡剤は、洗剤組成物の約０．１重量％〜約２重量％の範囲の量で使用されてよい。炭化水素抑泡剤は、より多い量を使用することもできるが、洗剤組成物の約０．０１重量％〜約５．０重量％の範囲の量で使用されてもよい。アルコール抑泡剤は、洗剤組成物の約０．２重量％〜約３重量％の範囲の濃度で使用されてもよい。
【０２２６】
起泡促進剤
高起泡が望まれる場合、Ｃ１０〜Ｃ１６アルカノールアミドなどの起泡促進剤を例えば、洗剤組成物の約１重量％〜約１０重量％の範囲の濃度で洗剤組成物に組み込んでもよい。いくつかの例としては、Ｃ１０〜Ｃ１４モノエタノール及びジエタノールアミドが挙げられる。所望の場合、更なる泡をもたらすとともに、グリース除去性能を高めるために、ＭｇＣｌ２、ＭｇＳＯ４、ＣａＣｌ２、ＣａＳＯ４などの水溶性マグネシウム及び／又はカルシウム塩を、洗剤組成物の約０．１重量％〜約２重量％の濃度で加えてよい。
【０２２７】
コンディショニング剤
本発明の組成物は、高融点脂肪族化合物を含んでもよい。本明細書において有用な高融点脂肪族化合物は、２５℃以上の融点を有し、脂肪族アルコール、脂肪酸、脂肪族アルコール誘導体、脂肪酸誘導体、及びこれらの混合物からなる群から選択される。低融点の脂肪族化合物類は、本項に包含しないものとする。
【０２２８】
高融点脂肪族化合物は、組成物の約０．１重量％〜約４０重量％、好ましくは約１重量％〜約３０重量％、より好ましくは約１．５重量％〜約１６重量％、約１．５重量％〜約８重量％の濃度で組成物中に含まれる。
【０２２９】
本発明の組成物は、非イオン性ポリマーをコンディショニング剤として含んでもよい。
【０２３０】
本発明の組成物に使用するのに好適なコンディショニング剤として、一般にシリコーン（例えば、シリコーンオイル、カチオン性シリコーン、シリコーンガム、屈折率の高いシリコーン、及びシリコーン樹脂）、有機コンディショニングオイル（例えば、炭化水素油、ポリオレフィン、及び脂肪酸エステル）、若しくはこれらの組み合わせとして特徴付けられるコンディショニング剤、又は別の方法で本明細書の水性界面活性剤マトリックス中に液状の分散粒子を形成するコンディショニング剤が挙げられる。シリコーンコンディショニング剤の濃度は、典型的には、約０．０１％〜約１０％の範囲に及ぶ。
【０２３１】
本発明の組成物はまた、コンディショニング剤として、単独で又はシリコーン（本願に記載される）のような他のコンディショニング剤と組み合わせて、約０．０５％〜約３％の少なくとも１つの有機コンディショニングオイルを含んでもよい。好適なコンディショニングオイルとしては、炭化水素油、ポリオレフィン及び脂肪酸エステルが挙げられる。
【０２３２】
布地改良ポリマー
好適な布地改良ポリマーは、典型的には、カチオン性に帯電し、かつ／又は高分子量を有する。
【０２３３】
この成分の好適な濃度は、組成物の０．０１重量％〜５０重量％、好ましくは０．１重量％〜１５重量％、より好ましくは０．２重量％〜５．０重量％、最も好ましくは０．５重量％〜３．０重量％の範囲である。布地改良ポリマーは、ホモポリマーであってもよく、又は２種類以上のモノマーから形成してもよい。ポリマーのモノマー重量は一般に、５，０００〜１０，０００，０００の間、典型的には少なくとも１０，０００、好ましくは１００，０００〜２，０００，０００の範囲にあるであろう。好ましい布地改良ポリマーは、組成物の意図される用途のｐＨ（このときｐＨは、一般にｐＨ３〜ｐＨ９、好ましくはｐＨ４〜ｐＨ８）において、少なくとも０．２ｍｅｑ／ｇｍ、好ましくは少なくとも０．２５ｍｅｑ／ｇｍ、より好ましくは少なくとも０．３ｍｅｑ／ｇｍであるが、また好ましくは５ｍｅｑ／ｇｍ未満、より好ましくは３ｍｅｑ／ｇｍ未満、最も好ましくは２ｍｅｑ／ｇｍ未満のカチオン電荷密度を有するであろう。
【０２３４】
布地改良ポリマーは、天然又は合成起源のものであってもよい。好ましい布地改良ポリマーは、置換又は未置換のポリ第四級アンモニウム化合物、カチオン性修飾多糖類、カチオン性修飾（メタ）アクリルアミドポリマー／コポリマー、カチオン性修飾（メタ）アクリレートポリマー／コポリマー、キトサン、第四級化ビニルイミダゾールポリマー／コポリマー、ジメチルジアリルアンモニウムポリマー／コポリマー、ポリエチレンイミン系ポリマー、カチオン性グアーガム、及びこれらの誘導体、及びこれらの組み合わせからなる群から選択されてよい。
【０２３５】
本発明の組成物中で使用するのに好適なその他の布地改良ポリマーとして、例えば、ａ）１−ビニル−２−ピロリドン及び１−ビニル−３−メチル−イミダゾリウム塩（例えば、塩化物塩）のコポリマー（Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ（ＣＴＦＡ）により、当業界でポリクオタニウム−１６と称される）；ｂ）１−ビニル−２−ピロリドン及びジメチルアミノエチルメタクリレートのコポリマー（当業界（ＣＴＦＡ）でポリクオタニウム−１１と称される）；ｃ）例えば、ジメチルジアリルアンモニウムクロリドホモポリマー、アクリルアミド及びジメチルジアリルアンモニウムクロリドのコポリマー（当業界（ＣＴＦＡ）で、それぞれ、ポリクオタニウム６及びポリクオタニウム７と称される）を含む、カチオン性ジアリル第四級アンモニウム含有ポリマー；ｄ）３〜５個の炭素原子を有する不飽和カルボン酸のホモ−及びコポリマーのアミノ−アルキルエステルの鉱酸塩、アクリル酸及びジメチルジアリルアンモニウムクロリドのコポリマー（ＣＴＦＡにより、当業界でポリクオタニウム２２と称される）を含むアクリル酸の両性コポリマー、アクリル酸とジメチルジアリルアンモニウムクロリド及びアクリルアミドとのターポリマー（ＣＴＦＡにより、当業界でポリクオタニウム３９と称される）、並びにアクリル酸とメタクリルアミドプロピルトリメチルアンモニウムクロリド及びアクリル酸メチルとのターポリマー（ＣＴＦＡにより、当業界でポリクオタニウム４７と称される）が挙げられる。
【０２３６】
本発明の組成物において好適なその他の布地改良ポリマーとして、カチオン性多糖類ポリマー、例えばカチオン性セルロース及びその誘導体、カチオン性デンプン及びその誘導体、並びにカチオン性グアーガム及びその誘導体が挙げられる。その他の好適なカチオン性多糖類ポリマーとして、第四級窒素含有セルロースエーテル、並びに、エーテル化セルロース及びデンプンのコポリマーが挙げられる。使用可能な好適な種類のカチオン性多糖類ポリマーは、カチオン性グアーガム誘導体、例えばカチオン性ポリガラクトマンナンガム誘導体である。
【０２３７】
真珠光沢剤
本発明の洗濯洗剤組成物は真珠光沢剤を含んでもよい。真珠光沢剤の非限定例として、雲母、二酸化チタン被覆雲母、オキシ塩化ビスマス、魚鱗、以下の式のアルキレングリコールのモノ及びジエステルが挙げられる。
【０２３８】
【化５０】
0006262365.tif 000061
式中、
ａ．Ｒ１は直鎖又は分枝鎖Ｃ１２〜Ｃ２２アルキル基であり、
ｂ．Ｒは直鎖又は分枝鎖Ｃ２〜Ｃ４アルキレン基であり、
ｃ．Ｐは、Ｈ、Ｃ１〜Ｃ４アルキル、又は−ＣＯＲ２から選択され、
ｄ．ｎ＝１〜３である。
【０２３９】
真珠光沢剤は、エチレングリコールジステアレート（ＥＧＤＳ）であってよい。
【０２４０】
衛生及び悪臭
本発明の組成物はまた、リシノール酸亜鉛、チモール、Ｂａｒｄａｃ（登録商標）などの四級アンモニウム塩、ポリエチレンイミン（ＢＡＳＦのＬｕｐａｓｏｌ（登録商標）など）、及びその亜鉛錯体、銀及び銀化合物、特に、Ａｇ＋又はナノ銀分散体をゆっくり放出するように設計されているもののうちの１つ以上を含んでもよい。
【０２４１】
充填剤及びキャリア
充填剤及びキャリアを、本明細書で記載の洗剤組成物中で使用してよい。本明細書で使用するとき、用語「充填剤」及び「キャリア」は、同じ意味を有し、互換的に使用できる。
【０２４２】
液体洗剤組成物、及び液体成分を含む洗剤組成物の他の形（例えば、液体含有１回用量洗剤組成物）は、水及び他の溶媒を充填剤又はキャリアとして含有してもよい。好適な溶剤としては、シロキサン、他のシリコーン、炭化水素、グリコールエーテル、グリセリンエーテルなどのグリセリン誘導体、ペルフッ素化アミン、ペルフッ素化及びヒドロフルオロエーテル溶剤、低揮発性非有機溶剤、ジオール溶剤、及びこれらの混合物を含む親油性流体も挙げられる。
【０２４３】
メタノール、エタノール、プロパノール、及びイソプロパノールに代表される低分子量の一級又は二級アルコールが好適である。一部の例では、一価アルコールは、界面活性剤を可溶化するために使用されてもよく、２〜約６個の炭素原子と２〜約６個のヒドロキシ基を含有するものなどのポリオール（例えば、１，３−プロパンジオール、エチレングリコール、グリセリン、及び１，２−プロパンジオール）もまた使用されてもよい。モノエタノールアミン、ジエタノールアミン及びトリエタノールアミンなどのアミン含有溶剤も使用されてもよい。
【０２４４】
洗剤組成物は、組成物の約５重量％〜約９０重量％、及びいくつかの例では約１０重量％〜約５０重量％のかかるキャリアを含有してもよい。コンパクト又はスーパーコンパクト重質液体又はその他の形の洗剤組成物に対して、水の使用は、組成物の重量で、約４０重量％未満、又は約２０重量％未満、又は約５％重量未満、又は約４重量％未満、又は約３重量％未満、又は約２重量％未満遊離水であってよく、又は遊離水を実質的に含まなくともよい（すなわち、無水）。
【０２４５】
粉末又はバーの洗剤組成物、又は固体又は粉末成分を含む形（例えば、粉末含有１回用量洗剤組成物）に対して、好適な充填剤としては、硫酸ナトリウム、塩化ナトリウム、粘土、又は他の不活性固体成分が挙げられるが、これらに限定されない。充填剤は、また、バイオマス又は脱色バイオマスを含んでもよい。顆粒、バー、又は他の固体洗剤組成物中の充填剤は、洗剤組成物の約８０重量％未満、及びいくつかの例では洗剤組成物５０重量％未満を占めてもよい。コンパクト又はスーパーコンパクト粉末又は固体洗剤組成物は、洗剤組成物の約４０重量％未満、約２０重量％未満、又は約１０重量％未満の充填剤を含んでもよい。
【０２４６】
コンパクト又はスーパーコンパクトの液体又は粉末の洗剤組成物、又は他の形のいずれかに対しては、製品中の液体又は固体充填剤の濃度が低減されて、その結果、コンパクト化されていない洗剤組成物と比較して同量の活性化学物質が洗浄液に送達されるか、又は、一部の例では洗剤組成物がより効率的であってその結果、コンパクト化されていない組成物と比較してより少量の活性化学物質が送達される。例えば、洗浄液は、洗浄液中の洗剤組成物の濃度が約０ｇ／Ｌ〜６ｇ／Ｌとなるような量で、洗剤組成物を水と接触させることにより形成されてもよい。一部の例では、濃度は、約０．５ｇ／Ｌ〜約５ｇ／Ｌ、又は〜約３．０ｇ／Ｌ、又は〜約２．５ｇ／Ｌ、又は〜約２．０ｇ／Ｌ、又は〜約１．５ｇ／Ｌ、又は約０ｇ／Ｌ〜約１．０ｇ／Ｌ、又は約０ｇ／Ｌ〜約０．５ｇ／Ｌであってもよい。これらの投与量は限定を意図するものではなく、その他の投与量を使用することもできることは当業者には明白である。
【０２４７】
緩衝系
本明細書に記載の洗剤組成物は、水性洗浄操作での使用時に、洗浄水が約７．０〜約１２、及びいくつかの例では約７．０〜１１の間のｐＨを有するように配合されてもよい。推奨される使用レベルでｐＨを調節する技術としては、緩衝剤、アルカリ、酸などの使用が挙げられ、これらは当業者には周知である。これらの技術としては、炭酸ナトリウム、クエン酸、若しくはクエン酸ナトリウム、乳酸若しくは乳酸塩、モノエタノールアミン若しくは他のアミン、ホウ酸若しくはホウ酸塩、及び当該技術分野において既知の他のｐＨ調整化合物の使用が挙げられるが、これらに限定されない。
【０２４８】
本明細書の洗剤組成物は、動的なインウオッシュｐＨプロフィールを含む。（ｉ）水との接触から約３分後において、洗浄液のｐＨが１０超であり、（ｉｉ）水との接触から約１０分後において、洗浄液のｐＨが９．５未満であり、（ｉｉｉ）水との接触から約２０分後において、洗浄液のｐＨが９．０未満であり、（ｉｖ）任意に応じて、洗浄液の平衡ｐＨが、約７．０〜約８．５の範囲であるように、このような洗剤組成物は、他のｐＨ調整剤と併せて、ワックスで覆われたクエン酸粒子を用いてよい。
【０２４９】
触媒金属錯体
洗剤組成物は、触媒金属錯体を含んでよい。金属含有漂白触媒の１つの種類は、銅、鉄、チタン、ルテニウム、タングステン、モリブデン、又はマンガンのカチオンなどの規定の漂白触媒活性の遷移金属カチオン、亜鉛又はアルミニウムのカチオンなどの漂白触媒活性を殆ど又は全く有しない補助金属カチオン、並びに触媒金属及び補助金属のカチオンに対して規定の安定性定数を有する金属イオン封鎖剤、特にエチレンジアミン四酢酸、エチレンジアミンテトラ（メチレンホスホン酸）及びこれらの水溶性塩を含む触媒系である。
【０２５０】
水溶性フィルム
本発明の組成物はまた、水溶性フィルム内に封入されてもよい。好ましいフィルム材料は、好ましくは高分子材料である。フィルム材料は、当該技術分野において既知であるように、例えば、ポリマー材料のキャスティング、吹込成形、押出成形、又は吹込押出成形により得ることができる。
【０２５１】
パウチ材料としての使用に好適な好ましいポリマー、コポリマー又はそれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリ酢酸ビニル、ポリカルボン酸及び塩、ポリアミノ酸又はペプチド、ポリアミド、ポリアクリルアミド、マレイン酸／アクリル酸のコポリマー、デンプン及びゼラチンを包含するポリサッカライド、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマーの濃度、例えば、ＰＶＡポリマーの濃度は、少なくとも６０％である。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。ポリマー混合物もパウチ材料として使用することができる。
【０２５２】
当然のことながら、異なるフィルム材料及び／又は異なる厚さのフィルムも、また、本発明の小室の作製に選択されてもよい。異なるフィルムを選択する利点は、その結果得られる小室が異なる溶解性、すなわち放出特性を呈し得ることである。
【０２５３】
好適なフィルム材料は、ＭｏｎｏＳｏｌ照会番号Ｍ８６３０、Ｍ８９００、Ｈ８７７９として既知のＰＶＡフィルム、及び、相当する溶解度及び変形特性を有するＰＶＡフィルムである。更に好ましいフィルムは、米国特許出願公開第２００６／０２１３８０１号、国際公開第２０１０／１１９０２２号、米国特許出願公開第２０１１／０１８８７８４号、及び米国特許第６７８７５１２号に記載されるものである。
【０２５４】
また、本明細書のフィルム材料には、１つ以上の添加剤成分を含有させてもよい。例えば、グリセロール、エチレングリコール、ジエチレングリコール、プロピレングリコール、ソルビトール、及びこれらの混合物などの可塑剤の添加が有益であることがある。他の添加剤としては、洗浄水に送達される機能性洗剤添加剤、例えば有機ポリマー分散剤などが挙げられる。
【０２５５】
フィルムは、水に可溶性であるか、又は分散性であり、２０マイクロメートルの最大孔径を有するガラスフィルターを用いて本明細書において以下に示される方法によって測定する場合に、好ましくは少なくとも５０％、好ましくは少なくとも７５％、又は更に少なくとも９５％の水溶性を有する。５０グラム±０．１グラムのフィルム材料を予め秤量した４００ｍＬのビーカーに入れ、２４５ｍＬ×１ｍＬの蒸留水を加える。これを、６００ｒｐｍに設定した電磁撹拌機上で３０分間激しく撹拌する。その後、混合物を、上記で定義した孔径（最大２０マイクロメートル）の折り畳んだ定性分析用焼結ガラス濾紙で濾過する。回収した濾液から任意の従来の方法によって水を乾燥させ、残った材料の重量を測定する（これが溶解又は分散画分である）。その後、溶解度（％）又は分散度（％）を計算することができる。
【０２５６】
フィルムは、忌避剤、例えば、苦味化剤を含んでよい。好適な苦味化剤として、ナリンギン、オクタアセチルスクロース、塩酸キニーネ、安息香酸デナトニウム、又はこれらの混合物が挙げられるが、これらに限定されない。任意の好適な濃度の忌避剤をフィルム中で使用してよい。好適な濃度として、１〜５０００ｐｐｍ、又は更に１００〜２５００ｐｐｍ、又は更に２５０〜２０００ｒｐｍが挙げられるが、これらに限定されない。
【０２５７】
フィルムは印刷領域を含んでよい。この印刷領域は、フィルム全体、又はフィルムの一部を覆ってよい。印刷領域は、単一の色が含まれてよく、複数の色、更には３色が含まれていてよい。印刷領域は、白、黒、及び赤色が含まれていてよい。印刷領域は、顔料、染料、青味剤、又はこれらの混合物を含んでよい。印刷は、フィルム表面上に層として存在してよく、又は、少なくとも部分的にフィルム内に浸透していてよい。
【０２５８】
他の補助剤成分
広範かつ様々な他の成分が本明細書の洗剤組成物中で使用されてもよく、他の成分として他の活性成分、キャリア、ヒドロトロープ、加工助剤、染料若しくは顔料、液体配合物用溶媒、及び固体若しくは他の液体の充填剤、エリトロシン、コロイド状シリカ、ろう、プロバイオティクス、サーファクチン、アミノセルロース系ポリマー、リシノール酸亜鉛、香料マイクロカプセル、ラムノリピド、ソホロリピッド、グリコペプチド、メチルエステルスルホネート、メチルエステルエトキシレート、スルホン化エストリド、開裂可能界面活性剤、バイオポリマー、シリコーン、修飾シリコーン、アミノシリコーン、付着助剤、イナゴマメゴム、カチオン性ヒドロキシエチルセルロースポリマー、カチオン性グアー、ヒドロトロープ（特にクメンスルホン酸塩、トルエンスルホン酸塩、キシレンスルホン酸塩、及びナフタレン（naphalene）塩）、酸化防止剤、ＢＨＴ、ＰＶＡ粒子−封入染料若しくは香料、真珠光沢剤、発泡剤、色調変更系、シリコーンポリウレタン、乳白剤、錠剤崩壊剤、バイオマス充填剤、高速乾燥シリコーン、グリコールジステアレート、ヒドロキシエチルセルロースポリマー、疎水変性セルロースポリマー若しくはヒドロキシエチルセルロースポリマー、デンプン香料封入体、乳化油、ビスフェノール酸化防止剤、微細繊維状セルロース構造化剤、プロ芳香剤、スチレン／アクリレートポリマー、トリアジン、石鹸、スーパーオキシドジスムターゼ、ベンゾフェノンプロテアーゼ阻害剤、官能化ＴｉＯ２、ジブチルホスフェート、シリカ香料カプセル、並びに補助成分、ケイ酸塩（例えば、ケイ酸ナトリウム、ケイ酸カリウム）、コリンオキシダーゼ、ペクチン酸リアーゼ、雲母、二酸化チタン被覆雲母、オキシ塩化ビスマス、並びにその他の活性剤が挙げられる。
【０２５９】
本明細書に記載の洗剤組成物は、また、ビタミン及びアミノ酸、例えば水溶性ビタミン及びそれらの誘導体、水溶性アミノ酸並びにそれらの塩及び／又は誘導体、水不溶性アミノ酸粘度調整剤、染料、不揮発性溶媒又は希釈剤（水溶性及び水不溶性）、真珠光沢助剤、泡促進剤、追加的な界面活性剤又は非イオン性補助界面活性剤、殺シラミ剤、ｐＨ調整剤、香料、防腐剤、キレート剤、タンパク質、皮膚活性剤、日焼け止め、ＵＶ吸収剤、ビタミン、ナイアシンアミド、カフェイン、及びミノキシジルを含有してもよい。
【０２６０】
本明細書の洗剤組成物は、また、ニトロソ、モノアゾ、ジスアゾ（disazo）、カロテノイド、トリフェニルメタン、トリアリールメタン、キサンテン、キノリン、オキサジン、アジン、アントラキノン、インジゴイド、チオンインジゴイド、キナクリドン、フタロシアニン、Ｃ．Ｉ．名を有するものなどの水溶性成分を包含する植物、及び天然の色などの色素材料を含有してもよい。本発明の洗剤組成物は、また、抗菌剤を含有してもよい。
【０２６１】
洗剤組成物の製造プロセス
本発明の洗剤組成物は任意の好適な形態に配合でき、配合者により選択された任意のプロセスで調製できる。
【０２６２】
使用方法
本発明は、汚れた材料を洗浄する方法を含む。当業者であれば分かるように、本発明の洗浄組成物は、洗濯での前処理用途、洗濯洗浄用途、及びホームケア用途で用いるのに適している。
【０２６３】
このような方法としては、洗浄組成物をそのままの形態で、又は洗浄液で希釈した状態で、汚れた材料の少なくとも一部と接触させてから、任意に応じて、汚れた材料をすすぐ工程が挙げられるが、これに限らない。任意のすすぎ工程の前に、汚れた材料に対して洗浄工程を行ってよい。
【０２６４】
洗濯での前処理用途での使用では、使用法は、本明細書に記載されている洗浄組成物を汚れた布地と接触させることを含んでよい。前処理の後、汚れた布地を洗濯機で洗濯したり、又はさもなければすすいでもよい。
【０２６５】
機械洗濯法は、本発明による機械洗濯用洗浄組成物が有効量溶解又は投与されている洗濯機の中で、汚れた洗濯物を洗浄水溶液で処理することを含んでよい。洗浄組成物の「有効量」とは、約５Ｌ〜約６５Ｌの体積の洗浄溶液に、約２０ｇ〜約３００ｇの製品が溶解又は分散していることを意味する。水温は、約５℃〜約１００℃の範囲であってよい。水：汚れた材料（例えば、布地）の比は、約１：１〜約３０：１であってよい。組成物は、溶液中約５００ｐｐｍ〜約１５，０００ｐｐｍの濃度で使用されてもよい。布地洗濯組成物に関しては、使用レベルは、汚れとしみのタイプ及び度合いのみならず、洗浄水の温度、洗浄水の体積、及び洗濯機のタイプ（例えば、縦型、前面投入式、縦型、日本式の垂直軸自動洗濯機）にも応じて、様々であってよい。
【０２６６】
本明細書における洗浄組成物は、低減された洗浄温度で布地を洗濯するために使用されてもよい。布地を洗濯するこれらの方法は、洗濯洗浄組成物を水に送達して、洗浄液を形成し、及び洗濯する布地を前記洗浄液に添加する工程を含み、そこでは洗浄液が約０℃〜約２０℃、又は約０℃〜約１５℃、又は約０℃〜約９℃の温度を有する。布地は、洗浄組成物を水に接触させる前、又は後、又は同時に水と接触させてよい。
【０２６７】
別な方法は、洗浄組成物の実施形態により含浸された不織基材を汚れた材料と接触させることを含む。本明細書で使用するとき、「不織布基材」は、好適な坪量、キャリパー（厚さ）、吸収性及び強さ特性を有する従来通り形作られた任意の不織布シート又はウェブを包含することができる。好適な市販の不織布基材の非限定的な例としては、ＤｕＰｏｎｔより商品名ＳＯＮＴＡＲＡ（登録商標）及びＪａｍｅｓ  Ｒｉｖｅｒ  Ｃｏｒｐ．より商品名ＰＯＬＹＷＥＢ（登録商標）として販売されるものが挙げられる。
【０２６８】
手洗浄／浸漬方法、及び半自動洗浄機による組み合された手洗浄が含まれる。
【０２６９】
機械式食器洗浄方法
汚れた皿、食卓用食器、銀製食器、又は他のキッチン食器の機械式洗浄方法又は手での洗浄方法が含まれる。機械食器洗いの１つの方法は、汚れた皿、食卓用食器、銀製食器、及び他のキッチン用食器をその中に溶解又は分散された有効量の本発明に従った機械食器洗い用組成物を溶解又は分散した水性液体で処理する工程を含む。「有効量」の機械洗浄組成物とは、約３Ｌ〜約１０Ｌの容積の洗浄溶液中に溶解又は分散させた約８ｇ〜約６０ｇの生成物を意味する。
【０２７０】
手での食器洗いの１つの方法は、水を入れた容器の中に洗浄組成物を溶解し、続いて汚れた皿、食卓用食器、銀製食器、又は他のキッチン用食器を洗い液と接触させ、次いで汚れた皿、食卓用食器、銀製食器、又は他のキッチン用食器を手でスクラブする、拭く、若しくはすすぐことを含む。手での食器洗いのもう１つの方法は、汚れた皿、食卓用食器、銀製食器、又は他のキッチン用食器上に洗浄組成物を直接に適用し、次いで汚れた皿、食卓用食器、銀製食器、又は他のキッチン用食器を手でスクラブする、拭く、若しくはすすぐことを含む。一部の例では、手での皿洗いに有効な量の洗浄組成物は水中に希釈した約０．５ｍＬ〜約２０ｍＬである。
【０２７１】
組成物のためのパッケージ化
本明細書に記載の洗浄組成物は、紙、厚紙、プラスチック材料、及び任意の好適な積層物から製造されるものを含む、任意の好適な容器中にパッケージ化することができる。任意のパッケージングの形は、欧州特許第９４９２１５０５．７号に記載されている。
【０２７２】
多区画パウチ添加剤
本明細書に記載の洗浄組成物は、多区画洗浄組成物としてパッケージ化されてもよい。
【実施例】
【０２７３】
以下の実施例では、洗浄組成物内の各成分は、洗浄組成物の重量でのパーセントとして表される。
【０２７４】
（実施例１）：
牛脂、豚脂、及びベーコン油を含む青色の綿メリヤスの技術用しみ見本を、Ｗａｒｗｉｃｋ  Ｅｑｕｅｓｔ  Ｌｔｄ．から購入し、従来の西欧型洗濯機（Ｍｉｅｌｅ  Ｗａｓｃｈｍａｓｃｈｉｎｅ  Ｓｏｆｔｒｏｎｉｃ  Ｗ  ２２４１）で、５９分間の加熱なし洗濯サイクル（１７℃で洗浄）を選択し、７５ｇの液体洗剤組成物ＬＡ１（表１０）（ポリエーテルアミンなし）又は１．２５ｇのポリエーテルアミン（ＬＡ１に添加する前に塩酸で中和）を混合した７５ｇのＬＡ１を用いて、洗浄した。水１Ｌ中７５ｇのＬＡ１（表１０）のｐＨはｐＨ＝８．３である。水の硬度は、２．５ｍＭ（Ｃａ２＋：Ｍｇ２＋が３：１）であった。
【０２７５】
標準的な測色測定法を用いて、洗濯前後の各しみに対するＬ＊、ａ＊及びｂ＊値を得た。Ｌ＊、ａ＊及びｂ＊値から、しみレベルを算出した。
【０２７６】
見本からのしみ除去を次のように測定する：
【０２７７】
【数２】
0006262365.tif 000062
ΔＥｉｎｉｔｉａｌ＝洗浄前のしみレベル
ΔＥｗａｓｈｅｄ＝洗浄後のしみレベル
【０２７８】
各しみの６つの複製を作製した。以下に示すＳＲＩ値は、各しみの種類に対する平均ＳＲＩ値である。布地の洗浄前のしみレベル（ΔＥｉｎｉｔｉａｌ）は高く、洗浄プロセスにおいて、しみが除去されて、洗浄後のしみレベルが低下した（ΔＥｗａｓｈｅｄ）。しみの除去が良好であるほど、ΔＥｗａｓｈｅｄの値が小さく、ΔＥｉｎｉｔｉａｌとΔＥｗａｓｈｅｄとの間の差（ΔＥｉｎｉｔｉａｌ−ΔＥｗａｓｈｅｄ）が大きくなる。したがって、より良好な洗浄性能とともにしみ除去指数の値は増加する。
【０２７９】
【表１０】
0006262365.tif 000063
１  Ｓｔｅｐａｎ（Ｎｏｒｔｈｆｉｅｌｄ  Ｉｌｌｉｎｏｉｓ，ＵＳＡ）より供給される平均脂肪族炭素鎖長Ｃ１１〜Ｃ１２を有する直鎖アルキルベンゼンスルホネート
２  ＡＥ３Ｓは、Ｓｔｅｐａｎ（Ｎｏｒｔｈｆｉｅｌｄ  Ｉｌｌｉｎｏｉｓ，ＵＳＡ）より供給されるＣ１２〜１５アルキルエトキシ（３）サルフェートである
３  ＡＥ９は、Ｈｕｎｔｓｍａｎ（Ｓａｌｔ  Ｌａｋｅ  Ｃｉｔｙ，Ｕｔａｈ，ＵＳＡ）より供給される、平均エトキシル化度が９のＣ１２〜１４アルコールエトキシレートである
４  ＮＩ  ４５−７は、Ｈｕｎｔｓｍａｎ（Ｓａｌｔ  Ｌａｋｅ  Ｃｉｔｙ，Ｕｔａｈ，ＵＳＡ）より供給される、平均エトキシル化度が７のＣ１４〜１５アルコールエトキシレートである
５  両親媒性ポリマーは、ポリエチレンオキシド主鎖と複数のポリ酢酸ビニル側鎖とを有する、ポリ酢酸ビニルグラフト化ポリエチレンオキシドコポリマーであるポリエチレンオキシド主鎖の分子量は約６０００であり、ポリエチレンオキシドとポリ酢酸ビニルの重量比は約４０対６０であり、グラフト点は５０エチレンオキシド単位あたり１以下である。
６  一般構造：ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）（式中、ｎ＝２０〜３０であり、ｘ＝３〜８である）を有する化合物、又はこの硫酸化若しくはスルホン化変異体
７  −ＮＨにつき２０個のエトキシレート基を有するポリエチレンイミン（ＭＷ＝６００）
８  プロテアーゼは、Ｇｅｎｅｎｃｏｒ  Ｉｎｔｅｒｎａｔｉｏｎａｌ（Ｐａｌｏ  Ａｌｔｏ，Ｃａｌｉｆｏｒｎｉａ，ＵＳＡ）より供給できる
９  Ｎａｔａｌａｓｅ（登録商標）は、Ｎｏｖｏｚｙｍｅｓ（Ｂａｇｓｖａｅｒｄ，Ｄｅｎｍａｒｋ）の製品である。
１０  好適なキレート剤は、Ｓｏｌｕｔｉａ（Ｓｔ  Ｌｏｕｉｓ，Ｍｉｓｓｏｕｒｉ，ＵＳＡ）より供給されるジエチレントリアミンペンタ（メチルホスホン）酸である
１１  蛍光増白剤１は、Ｃｉｂａ  Ｓｐｅｃｉａｌｔｙ  Ｃｈｅｍｉｃａｌｓ（Ｂａｓｅｌ，Ｓｗｉｔｚｅｒｌａｎｄ）より供給されるＴｉｎｏｐａｌ（登録商標）ＡＭＳ、蛍光増白剤２である
【０２８０】
【表１１】
0006262365.tif 000064
【０２８１】
Ａ：ポリエーテルアミンを含まない液体洗剤組成物ＬＡ１（表１０参照）。
Ｂ：商品名Ｐｏｌｙｅｔｈｅｒａｍｉｎｅ（登録商標）Ｄ  ２３０又はＪＥＦＦＡＭＩＮＥ（登録商標）Ｄ−２３０又はＢａｘｘｏｄｕｒ（登録商標）ＥＣ３０１で販売されるポリエーテルアミン（例えば、（２−アミノメチルエチル）−ω−（２−アミノメチルエトキシ）−ポリ（オキシ（メチル−１，２−エタンジイル））を含む液体洗剤組成物ＬＡ１（表１０参照）。
Ｃ：実施例４に従って調製されたポリエーテルアミンを含む液体洗剤組成物ＬＡ１（表１０参照）。
【０２８２】
本開示によるポリエーテルアミンを含む洗浄組成物（表１１：Ｃ参照）は、ポリエーテルアミンを含まない洗剤組成物（表１１：Ａ参照）よりも優れた油洗浄効果を示し、また、比較例のポリエーテルアミンを含む洗浄組成物（表１１：Ｂ参照）よりも優れた油洗浄効果も示した。
【０２８３】
（実施例２）：
液体洗剤Ａ（表１２参照）は、商品名Ｐｏｌｙｅｔｈｅｒａｍｉｎｅ（登録商標）Ｄ  ２３０で販売されるポリエーテルアミンを含む従来の洗濯洗剤であり、液体洗剤Ｂ（表１２参照）は、実施例４のポリエーテルアミンを含む。
【０２８４】
焦がしバター、ハンバーガー油、マーガリン、タコ油を含むＣＷ１２０木綿の技術用しみ見本を、Ｅｍｐｉｒｉｃａｌ  Ｍａｎｕｆａｃｔｕｒｉｎｇ  Ｃｏ．，Ｉｎｃ（Ｃｉｎｃｉｎｎａｔｉ，ＯＨ）から購入した。この見本を、０．２４グラム毎リットル（１４グレイン毎ガロン）の硬度の水を用い、１５℃で、Ｍｉｅｌｅ前入れ式洗濯機で洗浄した。試験で使用した液体洗剤の総量は８０グラムであった。
【０２８５】
標準的な測色測定法を用いて、洗濯前後の各しみに対するＬ＊、ａ＊及びｂ＊値を得た。Ｌ＊、ａ＊及びｂ＊値から、しみレベルを算出した。次に、しみ除去指数を上記に示すＳＲＩ式に従って計算した。各しみの８つの複製を作製した。以下に示すＳＲＩ値（表１３）は、各しみの種類に対する平均ＳＲＩ値である。
【０２８６】
【表１２】
0006262365.tif 000065
１  −ＮＨにつき２０個のエトキシレート基を有するポリエチレンイミン（ＭＷ＝６００）
２  合成実施例４に記載のポリエーテルアミン組成物
３  商品名Ｐｏｌｙｅｔｈｅｒａｍｉｎｅ  Ｄ  ２３０で販売されるポリエーテルアミン（２−アミノメチルエチル）−ω−（２−アミノメチルエトキシ）−ポリ（オキシ（メチル−１，２−エタンジイル））。
４  非イオン性２４−９は、平均エトキシル化度が９のＣ１２〜１４アルコールエトキシレートである
６  一般構造：ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）（式中、ｎ＝２０〜３０であり、ｘ＝３〜８である）を有する化合物、又はこの硫酸化若しくはスルホン化変異体
６  ＤＴＰＡは、ジエチレンテトラアミン五酢酸である
【０２８７】
【表１３】
0006262365.tif 000066
【０２８８】
これらの結果は、Ｐｏｌｙｅｔｈｅｒａｍｉｎｅ（登録商標）Ｄ  ２３０と比較した、特にハンバーガー油及びタコ油などの除去しにくく高頻度で起こる消費者のしみに対する、実施例４のポリエーテルアミンの驚くべき油除去効果を示す。
【０２８９】
（実施例３）：
次の組成物を水溶性パウチ内に封入し、１回用量物品を作製する。
【０２９０】
【表１４】
0006262365.tif 000067
１．直鎖アルキルベンゼン、Ｓａｓｏｌ（Ｌａｋｅ  Ｃｈａｒｌｅｓ，ＬＡ）
２．ＡＥ９は、Ｈｕｎｔｓｍａｎ（Ｓａｌｔ  Ｌａｋｅ  Ｃｉｔｙ，Ｕｔａｈ，ＵＳＡ）より供給される、平均エトキシル化度が９のＣ１２〜１４アルコールエトキシレートである。
３．Ｇｅｎｅｎｃｏｒ  Ｉｎｔｅｒｎａｔｉｏｎａｌ（Ｐａｌｏ  Ａｌｔｏ，Ｃａｌｉｆｏｒｎｉａ，ＵＳＡ）より供給されるプロテアーゼ（例えばＰｕｒａｆｅｃｔ  Ｐｒｉｍｅ（登録商標））
４．Ｇｅｎｅｎｃｏｒ  Ｉｎｔｅｒｎａｔｉｏｎａｌ（Ｐａｌｏ  Ａｌｔｏ，Ｃａｌｉｆｏｒｎｉａ，ＵＳＡ）より供給されるプロテアーゼ
５．Ｎｏｖｏｚｙｍｅｓ（Ｂａｇｓｖａｅｒｄ，Ｄｅｎｍａｒｋ）より供給されるＮａｔａｌａｓｅ（登録商標）
６．Ｎｏｖｏｚｙｍｅｓ（Ｂａｇｓｖａｅｒｄ，Ｄｅｎｍａｒｋ）より供給されるＴｅｒｍａｍｙｌ  Ｕｌｔｒａ
７．Ｎｏｖｏｚｙｍｅｓ（Ｂａｇｓｖａｅｒｄ，Ｄｅｎｍａｒｋ）より供給されるＭａｎｎａｎａｓｅ（登録商標）
８．Ｎｏｖｏｚｙｍｅｓ（Ｂａｇｓｖａｅｒｄ，Ｄｅｎｍａｒｋ）より供給されるＷｈｉｔｅｚｙｍｅ
９．−ＮＨにつき２０個のエトキシレート基を有するポリエチレンイミン（ＭＷ＝６００）
１０．ＢＡＳＦより供給されるＳｏｋａｌａｎ  １０１ポリエチレングリコール−ポリビニルアセテートコポリマー分散剤
１１．好適なキレート剤は、例えば、Ｄｏｗ  Ｃｈｅｍｉｃａｌ（Ｍｉｄｌａｎｄ，Ｍｉｃｈｉｇａｎ，ＵＳＡ）より供給されるジエチレンテトラアミン五酢酸（ＤＴＰＡ）である
１２．Ｉｎｎｏｓｐｅｃ（Ｅｎｇｌｅｗｏｏｄ，Ｃｏｌｏｒａｄｏ，ＵＳＡ）より供給されるエチレンジアミン二コハク酸
１３．好適な蛍光増白剤は例えば、Ｔｉｎｏｐａｌ（登録商標）ＡＭＳ、Ｔｉｎｏｐａｌ（登録商標）ＣＢＳ−Ｘ、スルホン化亜鉛フタロシアニン（Ｃｉｂａ  Ｓｐｅｃｉａｌｔｙ  Ｃｈｅｍｉｃａｌｓ（Ｂａｓｅｌ，Ｓｗｉｔｚｅｒｌａｎｄ））である。
１４．合成実施例４に従って作製されたポリエーテルアミン組成物。
１５．Ｔｏｐｐｅｄ  Ｃｏｃｏｎｕｔ  Ｆａｔｔｙ  Ａｃｉｄ、Ｔｗｉｎ  Ｒｉｖｅｒｓ  Ｔｅｃｈｎｏｌｏｇｉｅｓ（Ｑｕｉｎｃｙ  Ｍａｓｓａｃｈｕｓｅｔｔｓ）
【０２９１】
（実施例４）
牛脂、豚脂、及びベーコン油を含む青色の綿メリヤスの技術用しみ見本を、Ｗａｒｗｉｃｋ  Ｅｑｕｅｓｔ  Ｌｔｄ．から購入し、従来の西欧型洗濯機（Ｍｉｅｌｅ  Ｗａｓｃｈｍａｓｃｈｉｎｅ  Ｓｏｆｔｒｏｎｉｃ  Ｗ  ２２４１）で、５９分間の加熱なし洗濯サイクル（１７℃で洗浄）を選択し、７５ｇの液体洗剤組成物ＬＡ１（表１５）（ポリエーテルアミンなし）又は１．２５ｇのポリエーテルアミン（ＬＡ１に添加する前に塩酸で中和）を混合した７５ｇのＬＡ１を用いて、洗浄した。水１Ｌ中７５ｇのＬＡ１（表１５）のｐＨはｐＨ＝８．３である。水の硬度は、２．５ｍＭ（Ｃａ２＋：Ｍｇ２＋が３：１）であった。
【０２９２】
標準的な測色測定法を用いて、洗濯前後の各しみに対するＬ＊、ａ＊及びｂ＊値を得た。Ｌ＊、ａ＊及びｂ＊値から、しみレベルを算出した。次に、しみ除去指数を上記に示すＳＲＩ式に従って計算した（実施例１参照）。
【０２９３】
【表１５】
0006262365.tif 000068
１  Ｓｔｅｐａｎ（Ｎｏｒｔｈｆｉｅｌｄ  Ｉｌｌｉｎｏｉｓ，ＵＳＡ）より供給される平均脂肪族炭素鎖長Ｃ１１〜Ｃ１２を有する直鎖アルキルベンゼンスルホネート
２  ＡＥ３Ｓは、Ｓｔｅｐａｎ（Ｎｏｒｔｈｆｉｅｌｄ  Ｉｌｌｉｎｏｉｓ，ＵＳＡ）より供給されるＣ１２〜１５アルキルエトキシ（３）サルフェートである
３  ＡＥ９は、Ｈｕｎｔｓｍａｎ（Ｓａｌｔ  Ｌａｋｅ  Ｃｉｔｙ，Ｕｔａｈ，ＵＳＡ）より供給される、平均エトキシル化度が９のＣ１２〜１４アルコールエトキシレートである
４  ＮＩ  ４５−７は、Ｈｕｎｔｓｍａｎ（Ｓａｌｔ  Ｌａｋｅ  Ｃｉｔｙ，Ｕｔａｈ，ＵＳＡ）より供給される、平均エトキシル化度が７のＣ１４〜１５アルコールエトキシレートである
５  両親媒性ポリマーは、ポリエチレンオキシド主鎖と複数のポリ酢酸ビニル側鎖とを有する、ポリ酢酸ビニルグラフト化ポリエチレンオキシドコポリマーであるポリエチレンオキシド主鎖の分子量は約６０００であり、ポリエチレンオキシドとポリ酢酸ビニルの重量比は約４０対６０であり、グラフト点は５０エチレンオキシド単位あたり１以下である。
６  一般構造：ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）（式中、ｎ＝２０〜３０であり、ｘ＝３〜８である）を有する化合物、又はこの硫酸化若しくはスルホン化変異体
７  −ＮＨにつき２０個のエトキシレート基を有するポリエチレンイミン（ＭＷ＝６００）
８  プロテアーゼは、Ｇｅｎｅｎｃｏｒ  Ｉｎｔｅｒｎａｔｉｏｎａｌ（Ｐａｌｏ  Ａｌｔｏ，Ｃａｌｉｆｏｒｎｉａ，ＵＳＡ）より供給できる（例えばＰｕｒａｆｅｃｔ  Ｐｒｉｍｅ（登録商標））
９  Ｎａｔａｌａｓｅ（登録商標）は、Ｎｏｖｏｚｙｍｅｓ（Ｂａｇｓｖａｅｒｄ，Ｄｅｎｍａｒｋ）の製品である。
１０  好適なキレート剤は、Ｓｏｌｕｔｉａ（Ｓｔ  Ｌｏｕｉｓ，Ｍｉｓｓｏｕｒｉ，ＵＳＡ）より供給されるジエチレントリアミンペンタ（メチルホスホン）酸である１１蛍光増白剤１は、Ｃｉｂａ  Ｓｐｅｃｉａｌｔｙ  Ｃｈｅｍｉｃａｌｓ（Ｂａｓｅｌ，Ｓｗｉｔｚｅｒｌａｎｄ）より供給されるＴｉｎｏｐａｌ（登録商標）ＡＭＳ、蛍光増白剤２である
【０２９４】
【表１６】
0006262365.tif 000069
【０２９５】
Ａ：ポリエーテルアミンを含まない液体洗剤組成物ＬＡ１（表１５参照）。
Ｂ：商品名Ｐｏｌｙｅｔｈｅｒａｍｉｎｅ（登録商標）Ｄ  ２３０又はＪＥＦＦＡＭＩＮＥ（登録商標）Ｄ−２３０又はＢａｘｘｏｄｕｒ（登録商標）ＥＣ３０１で販売されるポリエーテルアミン（例えば、（２−アミノメチルエチル）−ω−（２−アミノメチルエトキシ）−ポリ（オキシ（メチル−１，２−エタンジイル））を含む液体洗剤組成物ＬＡ１（表１５参照）。
Ｃ：１．２５ｇの実施例５のポリエーテルアミンを含む液体洗剤組成物ＬＡ１（表１５参照）。
Ｄ：１．２５ｇの実施例６のポリエーテルアミンを含む液体洗剤組成物ＬＡ１（表１５参照）。
Ｅ：１．２５ｇの実施例７に記載されるポリエーテルアミンを含む液体洗剤組成物ＬＡ１（表１５参照）。